(57)【要約】【課題】移動体端末と連携して出力制御を行うことが可能な情報処理装置および記憶媒体を提供する。【解決手段】出力部が設けられた１以上の面を含む多面体形状の筐体と、移動体端末と通信を行う通信部と、前記移動体端末と通信することにより前記移動体端末と連携して前記出力部からの出力制御を行う制御部と、を備える、情報処理装置。【選択図】図１
2014186610.tif 000002
【特許請求の範囲】
【請求項１】
出力部が設けられた１以上の面を含む多面体形状の筐体と、
移動体端末と通信を行う通信部と、
前記移動体端末と通信することにより前記移動体端末と連携して前記出力部からの出力制御を行う制御部と、
を備える、情報処理装置。
【請求項２】
前記多面体形状は、立方体形状である、請求項１に記載の情報処理装置。
【請求項３】
前記出力部は、前記多面体形状の筐体の各面に固定された表示部若しくは音声出力部、または、各面に着脱可能に設けられた前記移動体端末の表示部若しくは音声出力部である、請求項１に記載の情報処理装置。
【請求項４】
前記通信部は、前記移動体端末から送信される情報を受信することにより、前記移動体端末が近接していることを検知し、
前記制御部は、前記移動体端末が近接した場合、前記移動体端末から送信される情報に応じたコンテンツを前記出力部から出力するよう制御する、請求項１に記載の情報処理装置。
【請求項５】
前記移動体端末から送信される情報に応じたコンテンツは、前記移動体端末の所有者に対するメッセージ、または前記移動体端末において予めブックマークされたウェブページである、請求項４に記載の情報処理装置。
【請求項６】
前記制御部は、前記情報処理装置に近接する前記移動体端末に対して無線給電を行うよう制御する、請求項１に記載の情報処理装置。
【請求項７】
前記制御部は、前記面に取り付けられた前記移動体端末が取り外された場合、前記移動体端末の表示部に入力画面を表示するよう制御し、前記入力画面から入力された情報を出力する出力画面を、前記多面体形状の筐体の各面に設けられた表示部に表示するよう制御する、請求項１に記載の情報処理装置。
【請求項８】
前記制御部は、ユーザによる拡大表示指示に応じて、前記出力画面を、外部の表示装置から表示または前記情報処理装置に設けられた投影部から投影するよう制御する、請求項７に記載の情報処理装置。
【請求項９】
前記通信部は、前記面に取り付けられた１以上の前記移動体端末に対応する識別情報を受信し、
前記制御部は、受信した１以上の前記識別情報に基づくコンテンツを、前記面に取り付けられた１以上の前記移動体端末の表示部に表示するよう制御する、請求項１に記載の情報処理装置。
【請求項１０】
前記制御部は、複数の前記移動体端末が取り付けられている各面の位置関係および前記移動体端末の識別情報に基づくコンテンツを、複数の前記移動体端末の表示部に表示するよう制御する、請求項９に記載の情報処理装置。
【請求項１１】
前記情報処理装置は、前記多面体形状の筐体の各面に、ユーザ操作を検出する操作部をさらに備え、
前記制御部は、前記多面体形状の筐体の各面と、前記移動体端末に対応する識別情報とを対応付けて記憶し、前記操作部により呼び出し操作が検出された面に対応付けられた前記識別情報で示される前記移動体端末との通信を制御する、請求項１に記載の情報処理装置。
【請求項１２】
前記情報処理装置は、前記情報処理装置の周囲を撮像する撮像部をさらに備え、
前記制御部は、前記移動体端末との通信結果に応じて、前記撮像部により撮像された撮像画像を用いたセキュリティモードを実行するよう制御する、請求項１に記載の情報処理装置。
【請求項１３】
前記撮像部は、前記多面体形状の筐体の各面に設けられた複数の撮像部、または前記多面体形状の筐体の内部に設けられ、各面の外方向を撮像する１の撮像部である、請求項１２に記載の情報処理装置。
【請求項１４】
前記制御部は、前記移動体端末が前記情報処理装置の周辺に存在しない場合、前記セキュリティモードの実行を開始するよう制御する、請求項１２に記載の情報処理装置。
【請求項１５】
前記セキュリティモードは、前記撮像部により撮像された撮像画像を記憶部に記憶する記憶モードである、請求項１２に記載の情報処理装置。
【請求項１６】
前記セキュリティモードは、前記撮像部により撮像された撮像画像を前記移動体端末に送信する送信モードである、請求項１２に記載の情報処理装置。
【請求項１７】
前記移動体端末に送信する撮像画像の範囲は、前記移動体端末からの指示に応じて変更される、請求項１６に記載の情報処理装置。
【請求項１８】
前記セキュリティモードは、外部状況の検出結果に応じて、所定の報知を行う報知モードである、請求項１２に記載の情報処理装置。
【請求項１９】
前記セキュリティモードは、前記多面体形状の筐体の各面に設けられた表示部に、対向面側方向の撮像画像を表示する光学迷彩モードである、請求項１２に記載の情報処理装置。
【請求項２０】
コンピュータに、
移動体端末と通信を行う通信部と、
前記移動体端末と通信することにより前記移動体端末と連携して、１以上の面を含む多面体形状の筐体に設けられた出力部からの出力制御を行う制御部と、
として機能させるためのプログラムが記憶された、記憶媒体。
【発明の詳細な説明】
【技術分野】
【０００１】
本開示は、情報処理装置および記憶媒体に関する。
【背景技術】
【０００２】
近年、立方体から形成される表示装置や遊技装置が提案されている。
【０００３】
例えば、下記特許文献１では、外形が立方体から成り、全面に液晶表示パネルを設け、複数の情報を同時に表示できる構造により、複数のパネルを用いた複雑なゲームを実現したり、テレビ信号／ビデオ信号をパネルに独立して表示したりする携帯表示装置が開示されている。
【０００４】
また、下記特許文献２、３では、立方体の全面に表示部を設けることが開示されている。
【０００５】
また、下記特許文献４では、平面の表示パネルに、立方体イメージを構成するよう各画面を配置して表示することが開示されている。
【先行技術文献】
【特許文献】
【０００６】
【特許文献１】特開平８−１３７４１７号公報
【特許文献２】特開２００５−３７３２号公報
【特許文献３】特開２００６−０７８６４８号公報
【特許文献４】特開２００１−３１２３４６号公報
【発明の概要】
【発明が解決しようとする課題】
【０００７】
しかしながら、上記特許文献１〜４では、立方体の全面に表示部が設けられた表示装置が、タブレット端末や携帯電話端末、スマートフォン等の移動体端末と通信して連携動作する点については何ら考慮されていない。
【０００８】
そこで、本開示では、移動体端末と連携して出力制御を行うことが可能な、新規かつ改良された情報処理装置および記憶媒体を提案する。
【課題を解決するための手段】
【０００９】
本開示によれば、出力部が設けられた１以上の面を含む多面体形状の筐体と、移動体端末と通信を行う通信部と、前記移動体端末と通信することにより前記移動体端末と連携して前記出力部からの出力制御を行う制御部と、を備える、情報処理装置が提供される。
【００１０】
また、本開示によれば、コンピュータに、移動体端末と通信を行う通信部と、前記移動体端末と通信することにより前記移動体端末と連携して、１以上の面を含む多面体形状の筐体に設けられた出力部からの出力制御を行う制御部と、として機能させるためのプログラムが記憶された、記憶媒体が提供される。
【発明の効果】
【００１１】
以上説明したように本開示によれば、移動体端末と連携して出力制御を行うことができる。
【図面の簡単な説明】
【００１２】
【図１】本開示の一実施形態によるＣｕｂｅの外観構成を説明するための図である。
【図２】本開示の一実施形態によるＣｕｂｅのハードウェア構成の一例を示すブロック図である。
【図３】第１の実施形態によるＣｕｂｅが有するＣＰＵの機能構成を示すブロック図である。
【図４】第１の実施形態によるＣｕｂｅの基本動作を示すフローチャートである。
【図５】第１の実施形態によるセキュリティモードにおける各種割込処理について示すフローチャートである。
【図６】第１の実施形態によるセキュリティモードにおける各種割込処理について示すフローチャートである。
【図７】第１の実施形態による光学迷彩モードについて説明するための図である。
【図８】第２の実施形態によるコンテンツ出力システムの概要を説明するための図である。
【図９】第２の実施形態によるタブレット端末のハードウェア構成の一例を示すブロック図である。
【図１０】第２の実施形態によるタブレット端末のＣＰＵの機能構成を示すブロック図である。
【図１１】第２の実施形態によるサーバの構成の一例を示すブロック図である。
【図１２】第２の実施形態によるＩＤデータベースに格納される各ＩＤの対応付けの一例を示す図である。
【図１３】第２の実施形態によるコンテンツ出力制御システムにおいて、タブレット端末が取り付けられた場合の動作処理を示すフローチャートである。
【図１４】第２の実施形態によるコンテンツ出力制御システムにおいて、新たにタブレット端末が取り付けられた場合の動作処理を示すフローチャートである。
【図１５】第２の実施形態によるコンテンツ出力制御システムにおいて、タブレット端末が取り外された場合の動作処理を示すフローチャートである。
【図１６】第２の実施形態の変形例によるＣｕｂｅのＣＰＵの機能構成を示すブロック図である。
【図１７】第２の実施形態の変形例による出力制御処理を示すフローチャートである。
【図１８】第３の実施形態によるＣｕｂｅの面を介したタブレット端末との双方向通信の概要を説明するための図である。
【図１９】第３の実施形態によるＣｕｂｅが有するＣＰＵの機能構成を示すブロック図である。
【図２０】第３の実施形態によるＣｕｂｅの各面に対応付けられるＩＤの登録処理を示すフローチャートである。
【図２１】第３の実施形態による登録済み他ＩＤを未登録の面に変更する場合について説明するための図である。
【図２２】第３の実施形態によるＣｕｂｅの通信制御処理を示すフローチャートである。
【図２３】第４の実施形態の概要を説明するための図である。
【図２４】第４の実施形態によるＣｕｂｅが有するＣＰＵの機能構成を示すブロック図である。
【図２５】第４の実施形態によるＣｕｂｅが近接するタブレット端末に応じたコンテンツを出力する際の動作処理を示すフローチャートである。
【図２６】第５の実施形態によるＣｕｂｅの機能の概要を説明するための図である。
【図２７】第５の実施形態によるＣｕｂｅが有するＣＰＵの機能構成を示すブロック図である。
【図２８】第５の実施形態によるＣｕｂｅが近接するタブレット端末と通信を行い連携して動作する際の動作処理を示すフローチャートである。
【図２９】第６の実施形態によるＣｕｂｅの動作概要を説明するための図である。
【図３０】第６の実施形態によるＣｕｂｅのＣＰＵの機能構成を示すブロック図である。
【図３１】第６の実施形態によるＣｕｂｅによるチャンネル切替処理を示すフローチャートである。
【図３２Ａ】第６の実施形態の変形例１によるＣｕｂｅが音楽コンテンツの選択に利用される場合について説明するための図である。
【図３２Ｂ】第６の実施形態の変形例２によるＣｕｂｅが映像コンテンツの選択に利用される場合について説明するための図である。
【図３３】第７の実施形態によるＣｕｂｅの概要を説明するための図である。
【図３４】第７の実施形態によるＣＰＵの機能構成を示すブロック図である。
【図３５】第７の実施形態による入出力画面表示制御処理を示すフローチャートである。
【図３６Ａ】第７の実施形態によるＣｕｂｅにおいて、文字出力画面を拡大表示する場合の一例を説明するための図である。
【図３６Ｂ】第７の実施形態によるＣｕｂｅにおいて、文字出力画面を拡大表示する場合の一例を説明するための図である。
【図３７】本開示の一実施形態による小型のＣｕｂｅが各面に異なるアプリケーションを同時に表示する場合について説明するための図である。
【図３８】本開示の一実施形態によるＣｕｂｅと撮像装置の連携動作について説明するための図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１５】
また、以下に示す項目順序に従って本開示を説明する。
１．Ｃｕｂｅ１の概要
２．Ｃｕｂｅ１の構成
３．各実施形態
３−１．第１の実施形態
３−２．第２の実施形態
３−３．第３の実施形態
３−４．第４の実施形態
３−５．第５の実施形態
３−６．第６の実施形態
３−７．第７の実施形態
４．補足
５．まとめ
【００１６】
＜＜１．Ｃｕｂｅの概要＞＞
本開示による技術は、一例として「３．各実施形態」において詳細に説明するように、多様な形態で実施され得る。また、本開示の情報処理装置としての機能を含む各実施形態によるＣｕｂｅ１は、
Ａ．出力部（表示部２、表示部２２、スピーカ４、スピーカ２４）が設けられた１以上の面を含む多面体形状の筐体と、
Ｂ．移動体端末（タブレット端末２０）と通信を行う通信部（近接通信・充電処理部１１６）と、
Ｃ．前記移動体端末と通信することにより前記移動体端末と連携して前記出力部からの出力制御を行う制御部（ＣＰＵ１００）と、
を備える。
【００１７】
以下では、まず、このような各実施形態において共通するＣｕｂｅ１の概要について図１を参照して説明する。
【００１８】
図１は、本開示の一実施形態によるＣｕｂｅ１の外観構成を示した説明図である。図１に示したように、本開示の実施形態によるＣｕｂｅ１は、１以上の面を含む立方体形状の筐体から形成され、各面には、表示部２２Ａ〜２２Ｃやスピーカ（音声出力部）２４Ａ〜２４Ｃといった出力部と、撮像部２３Ａ〜２３Ｃが設けられている。なお、各面に設けられている出力部のユニットは、Ｃｕｂｅ１から取り外し可能であってもよく、この場合、図１に示すように、取り外された出力部のユニットは、タブレット端末２０Ａ〜２０Ｃとして使用することができる。
【００１９】
さらに、Ｃｕｂｅ１は、タブレット端末２０Ａ〜２０Ｃが着脱される各面に、表示部２Ａ〜２Ｃやスピーカ（音声出力部）４Ａ〜４Ｃといった出力部と、撮像部３Ａ〜３Ｃが設けられていてもよい。これにより、Ｃｕｂｅ１は、タブレット端末２０が取り付けられている場合は、タブレット端末２０の表示部２２およびスピーカ２４をＣｕｂｅ１の各面に設けられた出力部として用いることができる。
【００２０】
Ｃｕｂｅ１に着脱可能なタブレット端末２０は、Ｃｕｂｅ１の各面に、磁力、またはラッチを用いた物理的な構造により取り付けられる。
【００２１】
また、図１に示す例では、立方体形状の筐体から形成されるＣｕｂｅ１の上面Ｓ３と、側面Ｓ１、Ｓ２のみが図示されているが、他の側面や底面も同様の構造を有する。
【００２２】
また、本実施形態によるＣｕｂｅ１は、近接（接触および非接触を含む）するタブレット端末と無線通信することが可能である。ここで、Ｃｕｂｅ１と通信するタブレット端末は、図１に示すＣｕｂｅ１に着脱可能なタブレット端末２０であってもよいし、着脱不可能なタブレット端末であってもよい。また、図１に示すＣｕｂｅ１およびタブレット端末２０は、サーバ３０と無線通信することも可能である。これによりＣｕｂｅ１は、サーバ３０からコンテンツを取得したり、サーバ３０を介して、遠隔にあるタブレット端末２０と通信したりすることも可能である。
【００２３】
なお、図１では、情報処理装置の一例として、Ｃｕｂｅ１（立方体形状の筐体から形成される情報処理装置）を図示したが、本開示による情報処理装置は立方体形状に限定されず、立方体以外の多面体形状であってもよい。
【００２４】
（背景）
ここで、従来、立方体により形成される表示装置において、各面に独立した画像を表示する技術は提案されていたが、タブレット端末や携帯電話端末、スマートフォン等の移動体端末と通信して連携動作する点については何ら考慮されていなかった。
【００２５】
立方体表示装置が移動体端末と通信して連携動作することができれば、従来の立方体表示装置では想定し得なかった動作制御を実現することができ、より利便性が向上する。
【００２６】
そこで、上記事情を一着眼点にして本開示の各実施形態によるＣｕｂｅ１を創作するに至った。本開示の各実施形態によるＣｕｂｅ１は、近接（接触および非接触を含む）するタブレット端末と通信して連携動作することにより、従来の立方体表示装置では想定し得なかった動作制御を実現することができ、より利便性を向上させることができる。以下、このような本開示の各実施形態によるＣｕｂｅ１に共通するハードウェア構成について図２を参照して説明する。
【００２７】
＜＜２．Ｃｕｂｅ１の構成＞＞
図２は、本開示の一実施形態によるＣｕｂｅ１のハードウェア構成の一例を示すブロック図である。
【００２８】
図２に示すように、Ｃｕｂｅ１は、例えば、近接通信・充電アンテナ１１７、近接通信・充電処理部１１６、ＧＰＳアンテナ１２０、ＧＰＳ処理部１１９、Ｗｉｆｉアンテナ１２２、Ｗｉｆｉ処理部１２１、地磁気センサ１１２、加速度センサ１１３、ジャイロセンサ１１４、撮像部３、ＣＰＵ（Ｃｅｎｔｒａｌ  Ｐｒｏｃｅｓｓｉｎｇ  Ｕｎｉｔ）１００、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、操作部１０４、表示部２、デコーダ１０６、スピーカ４、エンコーダ１０８、マイク５、および記憶部１１０を有する。
【００２９】
なお、ここで示すハードウェア構成は一例であり、構成要素の一部、例えば地磁気センサ１１２、加速度センサ１１３、ジャイロセンサ１１４、エンコーダ１０８、マイク５、スピーカ４、撮像部３、または表示部２等が省略されてもよい。また、Ｃｕｂｅ１は、着脱可能に取り付けられたタブレット端末２０のスピーカ２４、撮像部２３、または表示部２２からコンテンツを出力したり撮像画像を取得したりすることもできる。また、本実施形態によるＣｕｂｅ１は、Ｃｕｂｅ１の各面のうち少なくとも１面に固定の表示部２を設けられ、他の面にタブレット端末２０が着脱可能に設けられる構成であってもよい。
【００３０】
また、ここで示される構成要素以外の構成要素、例えば振動部、プロジェクター部等をさらに含んでもよいことは言うまでもない。
【００３１】
（近接通信・充電アンテナ１１７）
近接通信・充電アンテナ１１７は、近接（非接触および接触を含む）するタブレット端末２０と無線で接続し、タブレット端末２０とデータの送受信を行う機能と、タブレット端末２０に電力供給を行う機能とを有するアンテナの一例である。近接通信・充電アンテナ１１７は、Ｃｕｂｅ１を形成する立方体形状の筐体の各面のうち少なくとも１以上の面に設けられ、近接するタブレット端末２０と無線で接続する。近接通信は、例えばＢｌｕｅｔｏｏｔｈ（登録商標）、赤外線通信、または近距離無線通信等により実現される。また、近接充電は、例えば電磁誘導方式、電波方式、または電磁界共鳴方式等により実現される。
【００３２】
ここで、タブレット端末２０が着脱される各面に、表示部２が設けられている場合は、近接通信・充電アンテナ１１７を各表示部２Ａ〜２Ｃの外周部分に設置したり、タブレット端末２０の背面に磁性体材料を設けたりすることで、磁界の妨げを低減することができる。また、近接通信・充電アンテナ１１７は、Ｃｕｂｅ１に着脱可能なタブレット端末２０に限定されず、例えば着脱不可能なタブレット端末と無線接続し、データの送受信や電力供給を行うことも可能である。
【００３３】
（近接通信・充電処理部１１６）
近接通信・充電処理部１１６は、近接通信・充電アンテナ１１７により送受信されるデータに対する各種の信号処理、および近接通信・充電アンテナ１１７による電力供給の処理を行う機能を有する。例えば、近接通信・充電処理部１１６は、タブレット端末２０から受信したデバイスＩＤまたはユーザＩＤをＣＰＵ１００に出力したり、ＣＰＵ１００の制御に従って、タブレット端末２０にコンテンツ情報を送信したりする。
【００３４】
また、近接通信・充電アンテナ１１７が、タブレット端末２０が着脱されるＣｕｂｅ１の各面に設けられている場合、近接通信・充電処理部１１６は、タブレット端末２０のＣｕｂｅ１の各面への着脱を検知することが可能である。具体的には、例えば近接通信・充電処理部１１６は、タブレット端末２０の電波強度に応じて着脱を検知することが可能である。また、近接通信・充電処理部１１６は、各面にタッチセンサ（操作部１０４の一例）が設けられている場合、タッチセンサによる検知結果と、近接通信・充電アンテナ１１７による近接無線通信の可否に応じて着脱を検知することも可能である。
【００３５】
（ＧＰＳアンテナ１２０）
ＧＰＳアンテナ１２０は、測位衛星からの信号を受信するアンテナの一例である。ＧＰＳアンテナ１２０は、複数のＧＰＳ衛星からのＧＰＳ信号を受信することができ、受信したＧＰＳ信号をＧＰＳ処理部１１９に入力する。
【００３６】
（ＧＰＳ処理部１１９）
ＧＰＳ処理部１１９は、測位衛星から受信された信号に基づいて位置情報を算出する算出部の一例である。ＧＰＳ処理部１１９は、ＧＰＳアンテナ１２０から入力された複数のＧＰＳ信号に基づいて現在の位置情報を算出し、算出した位置情報を出力する。具体的には、ＧＰＳ処理部１１９は、ＧＰＳ衛星の軌道データからそれぞれのＧＰＳ衛星の位置を算出し、ＧＰＳ信号の送信時刻と受信時刻との差分時間に基づいて、各ＧＰＳ衛星から当該Ｃｕｂｅ１までの距離をそれぞれ算出する。そして、算出された各ＧＰＳ衛星の位置と、各ＧＰＳ衛星から当該Ｃｕｂｅ１までの距離とに基づいて、現在の３次元位置を算出することができる。なお、ここで用いられるＧＰＳ衛星の軌道データは、例えばＧＰＳ信号に含まれていてもよい。或いは、ＧＰＳ衛星の軌道データは、Ｗｉｆｉアンテナ１２２を介して外部のサーバから取得されてもよい。
【００３７】
（Ｗｉｆｉアンテナ１２２）
Ｗｉｆｉアンテナ１２２は、例えば無線ＬＡＮ（Ｌｏｃａｌ  Ａｒｅａ  Ｎｅｔｗｏｒｋ）通信網との通信信号をＷｉｆｉ（登録商標）の仕様に従って送受信する機能を有するアンテナである。Ｃｕｂｅ１は、Ｗｉｆｉアンテナ１２２を介して、ネットワーク上のサーバ３０と接続することができる。また、Ｗｉｆｉアンテナ１２２は、受信した信号をＣＰＵ１００に供給することができる。
【００３８】
（Ｗｉｆｉ処理部１２１）
Ｗｉｆｉ処理部１２１は、Ｗｉｆｉアンテナ１２２から供給された信号に各種の信号処理を行う機能を有する。Ｗｉｆｉ処理部１２１は、供給されたアナログ信号から生成したデジタル信号をＣＰＵ１００に供給することができる。
【００３９】
（地磁気センサ１１２）
地磁気センサ１１２は、地磁気を電圧値として検出するセンサである。地磁気センサ１１２は、Ｘ軸方向、Ｙ軸方向、及びＺ軸方向の地磁気をそれぞれ検出する３軸地磁気センサであってよい。地磁気センサ１１２は、検出した地磁気データをＣＰＵ１００に供給することができる。
【００４０】
（加速度センサ１１３）
加速度センサ１１３は、加速度を電圧値として検出するセンサである。加速度センサ１１３は、Ｘ軸方向に沿った加速度、Ｙ軸方向に沿った加速度、及びＺ軸方向に沿った加速度をそれぞれ検出する３軸加速度センサであってよい。加速度センサ１１３は、検出した加速度データをＣＰＵ１００に供給することができる。
【００４１】
（ジャイロセンサ１１４）
ジャイロセンサ１１４は、物体の角度や角速度を検出する計測器の一種である。このジャイロセンサ１１４は、Ｘ軸、Ｙ軸、及びＺ軸周りの回転角の変化する速度（角速度）を電圧値として検出する３軸ジャイロセンサであってよい。ジャイロセンサ１１４は、検出した角速度データをＣＰＵ１００に供給することができる。
【００４２】
（撮像部３）
撮像部３は、ＣＰＵ１００の制御に従い、レンズを介して静止画像又は動画像を撮影する機能を有する。撮像部３は、撮影した画像を記憶部１１０に記憶させてもよい。
【００４３】
本実施形態による撮像部３は、Ｃｕｂｅ１の周囲、全方向を撮像可能である。具体的には、図１に示すように、Ｃｕｂｅ１を形成する多面体形状の筐体の各面に、外方向に向けて設けられる複数の撮像部３Ａ〜３Ｃにより、Ｃｕｂｅ１の周囲、全方向を撮像することができる。また、Ｃｕｂｅ１の各面にタブレット端末２０が着脱可能に取り付けられている場合、Ｃｕｂｅ１は、タブレット端末２０の撮像部２３Ａ〜２３Ｃを用いて、Ｃｕｂｅ１の周囲、全方向の撮像画像を取得することが可能である。
【００４４】
また、本実施形態による撮像部３は、図１に示す複数の撮像部３Ａ〜３Ｃの他、Ｃｕｂｅ１の内部に設けられ、透明または半透明の各面を介して全方向を撮像可能な１つの３６０度カメラにより実現されてもよい。
【００４５】
（ＣＰＵ１００）
ＣＰＵ１００は、演算処理装置及び制御装置として機能し、各種プログラムに従ってＣｕｂｅ１内の動作全般を制御する。またＣＰＵ１００は、マイクロプロセッサであってもよい。このＣＰＵ１００は、各種プログラムに従って様々な機能を実現することができる。
【００４６】
また、ＣＰＵ１００は、後述するように、ＣＰＵ１００−１〜１００−７として機能することにより、第１〜第７の実施形態において説明する各動作処理を実現することができる。
【００４７】
（ＲＯＭ１０２、ＲＡＭ１０３）
ＲＯＭ１０２は、ＣＰＵ１００が使用するプログラムや演算パラメータ等を記憶することができる。ＲＡＭ１０３は、ＣＰＵ１００の実行において使用するプログラムや、その実行において適宜変化するパラメータ等を一時記憶することができる。
【００４８】
（操作部１０４）
操作部１０４は、ユーザ操作を検出する機能を有する。操作部１０４は、例えば多面体形状の筐体の各面に設けられたタッチセンサ、ボタン、マイク５、及びスイッチなどユーザが入力情報を入力するための入力部と、ユーザによる入力に基づいて入力信号を生成し、ＣＰＵ１００に出力する入力制御回路などから構成されてよい。
【００４９】
（表示部２）
表示部２は、出力部の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などにより実現され、Ｃｕｂｅ１の面に固定される。また、表示部２は、タッチセンサ（操作部１０４の一例）が積層されたタッチパネルディスプレイにより実現されてもよい。本実施形態による表示部２は、ＣＰＵ１００による制御にしたがって、所定のコンテンツを表示する。
【００５０】
（デコーダ１０６、スピーカ４）
デコーダ１０６は、ＣＰＵ１００の制御に従い、入力されたデータのデコード及びアナログ変換などを行う機能を有する。デコーダ１０６は、例えばＷｉｆｉアンテナ１２２及びＷｉｆｉ処理部１２１を介して入力された音声データ（音声コンテンツ）のデコード及びアナログ変換などを行い、音声信号をスピーカ４に出力することができる。スピーカ４（音声出力部）は、出力部の一例であり、デコーダ１０６から供給される音声信号に基づいて音声を出力することができる。
【００５１】
（エンコーダ１０８、マイク５）
エンコーダ１０８は、ＣＰＵ１００の制御に従い、入力されたデータのデジタル変換及びエンコードなどを行う機能を有する。エンコーダ１０８は、マイク５から入力される音声信号のデジタル変換及びエンコードなどを行い、音声データを出力することができる。マイク５は、音声を集音し、音声信号として出力することができる。
【００５２】
（記憶部１１０）
記憶部１１０は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ）、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）、ＰＲＡＭ（Ｐｈａｓｅ  ｃｈａｎｇｅ  Ｒａｎｄｏｍ  Ａｃｃｅｓｓ  Ｍｅｍｏｒｙ）、及びＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの不揮発性メモリや、ＨＤＤ（Ｈａｒｄ  Ｄｉｓｋ  Ｄｒｉｖｅ）などの磁気記録媒体などが用いられてよい。
【００５３】
Ｃｕｂｅ１は、上記のようなハードウェア構成を有することにより、タブレット端末２０と通信してタブレット端末２０と連携した動作（表示制御、音声出力制御、送信制御等）を行う機能を実装し、本開示による情報処理装置として機能することができる。
【００５４】
続いて、本開示による情報処理装置として機能するＣｕｂｅ１の動作について、複数の実施形態を用いて詳細に説明する。
【００５５】
＜＜３．各実施形態＞＞
＜３−１．第１の実施形態＞
第１の実施形態によるＣｕｂｅ１は、Ｃｕｂｅ１に固定された撮像部３によりＣｕｂｅ１の周囲の撮像画像を取得し、当該撮像画像を用いたセキュリティモードを実行することができる。また、本実施形態によるＣｕｂｅ１は、タブレット端末２０との通信に応じて、タブレット端末２０と連携してセキュリティモードを実行することができる。具体的には、Ｃｕｂｅ１は、タブレット端末２０がＣｕｂｅ１から取り外された場合またはタブレット端末２０からの指示等に基づいて、セキュリティモードの実行を開始する。また、Ｃｕｂｅ１は、タブレット端末２０からの指示等に基づいて、撮像画像（監視画像）をタブレット端末２０に転送したり、報知準備（検出情報や報知情報の設定）を行ったり、光学迷彩制御（各面に対向面側の撮像画像を表示）を行ったりする。以下、このようにタブレット端末２０と連携してセキュリティモードを実行する本実施形態によるＣｕｂｅ１のＣＰＵ１００−１の機能構成について、図３を参照して説明する。
【００５６】
（３−１−１．機能構成）
図３は、第１の実施形態によるＣｕｂｅ１が有するＣＰＵ１００−１の機能構成を示すブロック図である。図３に示すように、ＣＰＵ１００−１は、モード設定部１３０ａ、撮像制御部１３０ｂ、記憶制御部１３０ｃ、転送制御部１３０ｄ、報知制御部１３０ｅ、および表示制御部１３０ｆとして機能する。
【００５７】
モード設定部１３０ａは、セキュリティモードとして、記憶モード、転送（送信）モード、報知モード、または光学迷彩モードを設定する機能を有する。モード設定部１３０ａによるセキュリティモードの実行開始／終了および各モードの切り替えは、Ｃｕｂｅ１へのタブレット端末２０の着脱状態や、タブレット端末２０からの指示、または操作部１０４からのユーザ操作などに応じて行われる。
【００５８】
撮像制御部１３０ｂは、撮像部３による撮像に関する各種パラメータ（撮像方向、撮像範囲、ズーム等）を設定し、制御する。また、撮像制御部１３０ｂは、モード設定部１３０ａによりセキュリティモードが設定された際、撮像を開始する。
【００５９】
記憶制御部１３０ｃは、モード設定部１３０ａによりセキュリティモードとして記憶モードが設定された場合、撮像部３により撮像したＣｕｂｅ１の周囲の撮像画像を、記憶部１１０に記憶するよう制御する。これにより、本実施形態によるＣｕｂｅ１は監視カメラとして機能することができる。
【００６０】
転送制御部１３０ｄは、モード設定部１３０ａによりセキュリティモードとして転送（送信）モードが設定された場合、撮像部３により撮像したＣｕｂｅ１の周囲の撮像画像を、Ｗｉｆｉ処理部１２１およびＷｉｆｉアンテナ１２２を介して、タブレット端末２０に送信するよう制御する。これにより、本実施形態によるＣｕｂｅ１は、画像転送が可能な監視カメラとして機能し、また、転送された画像がタブレット端末２０に表示されることで、ユーザは、他の場所に居てもＣｕｂｅ１の周囲の様子を視認することができる。また、転送制御部１３０ｄは、Ｃｕｂｅ１に取り付けられていたタブレット端末２０が取り外された場合、当該タブレット端末２０に対応するデバイスＩＤやユーザＩＤに基づいて、当該タブレット端末２０に自動的に画像転送を行うよう制御してもよい。
【００６１】
報知制御部１３０ｅは、モード設定部１３０ａによりセキュリティモードとして報知モードが設定された場合、外部状況の検出結果に応じて、所定の報知を行うよう制御する。外部状況の検出は、撮像部３、地磁気センサ１１２、加速度センサ、ジャイロセンサ１１４、Ｃｕｂｅ１に設けられる人感センサ（赤外線センサ、超音波センサ等）、タッチセンサ、若しくは静電容量センサ（いずれも不図示）の少なくともいずれか、またはこれらの組み合わせにより行われる。所定の報知は、例えばアラーム、サイレン、または警察や消防署等への通報等である。これにより、本実施形態によるＣｕｂｅ１は、防犯／防災装置として機能することができる。
【００６２】
表示制御部１３０ｆは、モード設定部１３０ａによりセキュリティモードとして光学迷彩モードが設定された場合、Ｃｕｂｅ１の各面に設けられた表示部２に、対向面側方向の撮像画像を表示するよう制御する。これにより、本実施形態によるＣｕｂｅ１は、疑似的に透明化され、侵入者等に気付かれない状態で、監視カメラや防犯／防災装置として機能することができる。
【００６３】
以上、本実施形態によるＣｕｂｅ１のＣＰＵ１００−１の機能構成について具体的に説明した。続いて、本実施形態による動作処理について図４〜図６を参照して具体的に説明する。
【００６４】
（３−１−２．動作処理）
図４は、第１の実施形態によるＣｕｂｅ１の基本動作を示すフローチャートである。図４に示すように、まず、ステップＳ１０３において、Ｃｕｂｅ１のメイン電源がＯＮされる。具体的には、例えばＣｕｂｅ１に操作部１０４として設けられたボタンまたはスイッチが押下されることにより電源ＯＮの操作が検出された場合、Ｃｕｂｅ１が起動する。
【００６５】
次いで、ステップＳ１０６において、ＣＰＵ１００−１は、各種割込処理トリガが有るか否か判断する。
【００６６】
次に、各種割込処理トリガが有る場合（Ｓ１０６／Ｙｅｓ）、ステップＳ１０９において、ＣＰＵ１００−１は、各種割込処理を実行する。
【００６７】
そして、ステップＳ１１２において、Ｃｕｂｅ１のメイン電源がＯＦＦされるまで上記Ｓ１０６およびＳ１０９が繰り返され、Ｃｕｂｅ１のメイン電源がＯＦＦされると、Ｃｕｂｅ１は停止する。具体的には、例えばＣｕｂｅ１に操作部１０４として設けられたボタンまたはスイッチが再度押下されることにより電源ＯＦＦの操作が検出され、Ｃｕｂｅ１の動作処理が終了する。
【００６８】
続いて、上記Ｓ１０６およびＳ１０９に示す各種割込処理について、図５および図６を参照して説明する。
【００６９】
図５および図６は、第１の実施形態によるセキュリティモードにおける各種割込処理について示すフローチャートである。まず、図５のステップＳ１２３において、ＣＰＵ１００−１は、セキュリティモードＯＮの割込処理トリガが有るか否かを判断する。具体的には、例えば予め登録した家族のタブレット端末２０が、Ｗｉｆｉアンテナ１２２から家庭内の無線ＬＡＮに接続して探索しても発見されない場合、ＣＰＵ１００−１のモード設定部１３０ａは、セキュリティモードＯＮの割込処理トリガが有ると判断する。また、Ｃｕｂｅ１の全側面（上面および底面以外の面）からタブレット端末２０が取り外されている場合、モード設定部１３０ａは、セキュリティモードＯＮの割込処理トリガが有ると判断してもよい。また、Ｃｕｂｅ１が有する３６０度カメラや人感センサ（不図示）による外部状況検出結果に基づいて周囲に人間がいないと判断された場合、モード設定部１３０ａは、セキュリティモードＯＮの割込処理トリガが有ると判断してもよい。また、Ｃｕｂｅ１の操作部１０４からユーザ操作によりセキュリティモード実行指示があった場合、モード設定部１３０ａは、セキュリティモードＯＮの割込処理トリガが有ると判断してもよい。
【００７０】
次いで、セキュリティモードＯＮの割込処理トリガが有った場合（Ｓ１２３／Ｙｅｓ）、モード設定部１３０ａはセキュリティモード（記憶モード）を設定し、撮像制御部１３０ｂは、撮像部３により周囲の撮像を開始する。また、セキュリティモード（記憶モード）を設定に伴い、記憶制御部１３０ｃは、撮像部３により撮像された撮像画像を記憶部１１０に記憶するよう制御する。これにより、本実施形態によるＣｕｂｅ１は監視カメラとして機能することができる。
【００７１】
次に、セキュリティモードＯＦＦの割込処理トリガが有った場合（Ｓ１２９／Ｙｅｓ）、ステップＳ１３２において、ＣＰＵ１００−１のモード設定部１３０ａは、セキュリティモードをＯＦＦし、撮像制御部１３０ｂによる撮像制御、記憶制御部１３０ｃによる記憶制御が終了する。セキュリティモードＯＦＦの割込処理トリガとは、例えば予め登録した家族のタブレット端末２０がＣｕｂｅ１に近づいたこと、Ｃｕｂｅ１の全側面にタブレット端末２０が取り付けられたこと、または操作部１０４から入力された手動によるセキュリティモード終了指示等である。また、セキュリティモードＯＦＦの後処理として、ＣＰＵ１００−１は、例えば記憶部１１０に記憶した撮像画像を圧縮して、撮像年月日や時間帯と共に所定の記憶領域に移動させる。
【００７２】
一方、画像転送モードＯＮの割込処理トリガが有った場合（Ｓ１３５／Ｙｅｓ）、ステップＳ１３８において、モード設定部１３０ａは画像転送モードを設定し、転送制御部１３０ｄは、撮像部３により撮像された所定範囲の撮像画像を所定のタブレット端末２０に送信する制御を開始する。画像転送モードＯＮの割込処理トリガとは、例えば１または複数のタブレット端末２０からの画像転送要求、または操作部１０４からの手動による要求指示等である。転送制御部１３０ｄは、画像転送要求元のタブレット端末２０や、手動により設定されたタブレット端末２０に対して、所定範囲の撮像画像を送信する。
【００７３】
所定の範囲の撮像画像とは、Ｃｕｂｅ１を形成する各面のうち少なくともいずれかの面から外方向を撮像した撮像画像である。例えば、転送制御部１３０ｄは、タブレット端末２０が取り外された面から外方向を撮像した撮像画像を、当該タブレット端末２０に送信するよう制御してもよい。
【００７４】
これにより、本実施形態によるＣｕｂｅ１は、画像転送が可能な監視カメラとして機能し、また、転送された画像がタブレット端末２０に表示されることで、ユーザは、他の場所に居てもＣｕｂｅ１の周囲の様子を視認することができる。
【００７５】
次いで、画像転送モードＯＦＦの割込処理トリガが有った場合（Ｓ１４１／Ｙｅｓ）、ステップＳ１４４において、モード設定部１３０ａは、画像転送モードをＯＦＦし、転送制御部１３０ｄによる撮像画像の送信制御が終了する。画像転送モードＯＦＦの割込処理トリガは、例えば１または複数のタブレット端末２０からの画像転送中止要求があった場合、または手動により画像転送モード終了指示が操作部１０４から入力された場合等である。また、画像転送モードＯＦＦの後処理として、ＣＰＵ１００−１は、例えば転送要求元のタブレット端末２０のデバイスＩＤやユーザＩＤを削除する。
【００７６】
一方、画像転送モードＯＦＦの割込処理トリガではなく（Ｓ１４１／Ｎｏ）、右／左移動モードの割込処理トリガが有った場合（Ｓ１４７／Ｙｅｓ）、ステップＳ１５０において、モード設定部１３０ａは、右／左移動モードを設定し、転送制御部１３０ｄは、転送する撮像画像の範囲を、所定範囲（所定角度）分、右／左にずらす（移動させる）よう制御する。例えば現在送信している撮像画像が、Ｃｕｂｅ１を形成する立体形状の筐体の各面のうち１の面の外方向を撮像した撮像画像の場合、転送制御部１３０ｄは、当該１の面の右隣または左隣の面から外方向を撮像した撮像画像を送信するよう切り替える。右／左移動モードの割込処理トリガとは、例えば１または複数のタブレット端末２０からの右／左移動要求、または操作部１０４からの手動による要求指示等である。
【００７７】
そして、ステップＳ１５３において、右／左移動モード終了の割込処理トリガが有るまで、転送制御部１３０ｄは、上記Ｓ１５０に示す撮像画像の転送範囲の右／左移動を続ける。
【００７８】
次いで、図６のステップＳ１６０において、ＣＰＵ１００−１は、報知モードＯＮの割込処理トリガが有るか否か判断する。報知モードＯＮの割込処理トリガとは、例えば１または複数のタブレット端末２０からの報知モード設定要求、または操作部１０４からの手動による要求指示等である。
【００７９】
次に、報知モードＯＮの割込処理トリガが有った場合（Ｓ１６０／Ｙｅｓ）、ステップＳ１６３において、モード設定部１３０ａは報知モードを設定し、報知制御部１３０ｅは、報知モードの設定に応じて、検出情報（検出方法、検出条件等）や報知情報（報知方法、報知条件等）の設定を行い、検出を開始する。検出情報や報知情報の設定内容は初期設定のものであってもよいし、ユーザにより任意に指定されたものであってもよい。
【００８０】
報知制御部１３０ｅは、検出方法として、使用するセンサ（撮像センサ、人感センサ、加速度センサ等）を設定し、また、検出条件として、不審者を検出した場合や火災を検出した場合等の条件を設定する。不審者を検出した場合とは、例えば顔認識により予め登録されたユーザ以外の顔が認識された場合や、人間を検出してから所定時間内に解除パスワードが入力されなかった場合等である。また、報知制御部１３０ｅは、報知方法として、アラーム／サイレンの出力、警察／消防署等への通報等を設定し、また、報知条件として、アラーム出力後所定の時間内に解除パスワードが入力されなかった場合は警察へ通報する等の条件を設定する。これにより、本実施形態によるＣｕｂｅ１は、防犯／防災装置として機能することができる。
【００８１】
次いで、設定した所定の検出があった場合（Ｓ１６６／Ｙｅｓ）、ステップＳ１６９において、報知制御部１３０ｅは、設定した報知情報にしたがって、報知処理を行う。
【００８２】
一方、報知モードＯＦＦの割込処理トリガが有った場合（Ｓ１６６／Ｎｏ、Ｓ１６９／Ｙｅｓ）、ステップＳ１７２において、モード設定部１３０ａは、報知モードを解除し、報知制御部１３０ｅによる報知制御は終了する。報知モードＯＦＦの割込処理トリガは、例えば１または複数のタブレット端末２０からの報知解除要求があった場合、または手動により報知モード終了指示が操作部１０４から入力された場合等である。また、ＣＰＵ１００−１は、後処理として、各種センサによる検出を終了させたり、検出履歴や報知履歴を記憶部１１０に記憶させたりする。
【００８３】
続いて、ステップＳ１７５において、ＣＰＵ１００−１は、光学迷彩（カモフラージュ）モードＯＮの割込処理トリガが有るか否か判断する。光学迷彩モードＯＮの割込処理トリガとは、例えば１または複数のタブレット端末２０からの光学迷彩モード設定要求、または操作部１０４からの手動による要求指示等である。
【００８４】
次に、光学迷彩モードＯＮの割込処理トリガが有った場合（Ｓ１７５／Ｙｅｓ）、ステップＳ１７８において、モード設定部１３０ａは光学迷彩モードを設定し、表示制御部１３０ｆは、光学迷彩モードの設定に従って、Ｃｕｂｅ１の各面に対向面側の撮像画像を表示するよう制御する。ここで図７を参照して光学迷彩モードについて説明する。
【００８５】
表示制御部１３０ｆは、図７に示すように、Ｃｕｂｅ１を形成する立方体形状の面Ｓ１、Ｓ２に設けられている表示部２Ａ、２Ｂに、それぞれ面Ｓ１、Ｓ２と対向する面に設けられている撮像部３Ｄ、３Ｅで撮像した対向面側の撮像画像Ｐ１、Ｐ２を表示する。表示制御部１３０ｆは、撮像部３Ｄ、３Ｅで撮像した対向面側の撮像画像Ｐ１、Ｐ２をリアルタイムで表示してもよい。これにより、Ｃｕｂｅ１は疑似的に透明化され、視点Ｖ１や視点Ｖ２からＣｕｂｅ１を見た場合にＣｕｂｅ１に気付きにくくなる。
【００８６】
また、表示制御部１３０ｆは、Ｃｕｂｅ１の上面Ｓ３に設けられている表示部２Ｃには、図７に示すように何ら表示しなくともよいし、上面Ｓ３に連結する面Ｓ１、Ｓ２の表示部２Ａ、２Ｂに表示されている撮像画像Ｐ１、Ｐ２に基づいて生成した画像を表示してもよい。具体的には、例えば表示制御部１３０ｆは、表示部２Ｃの対向する２組の頂点をそれぞれ結ぶ２本の線で表示領域を四等分し、面Ｓ１と連結する側の表示領域には撮像画像Ｐ１に基づいて生成した画像を表示し、面Ｓ２と連結する側の表示領域には撮像画像Ｐ２に基づいて生成した画像を表示する。
【００８７】
次に、光学迷彩モードＯＦＦの割込処理トリガが有った場合（Ｓ１８１／Ｙｅｓ）、ステップＳ１８４において、モード設定部１３０ａは、光学迷彩（カモフラージュ）モードを解除し、表示制御部１３０ｆによる表示制御は終了する。光学迷彩モードＯＦＦの割込処理トリガは、例えば１または複数のタブレット端末２０からの迷彩中止要求があった場合、または手動により光学迷彩モード終了指示が操作部１０４から入力された場合等である。また、ＣＰＵ１００−１は、後処理として、例えば光学迷彩用に一時保存していた撮像画像Ｐ１、Ｐ２を削除する。
【００８８】
以上、第１の実施形態によるＣｕｂｅ１によるセキュリティモードの実行について詳細に説明した。なお本実施形態によるＣｕｂｅ１は、Ｃｕｂｅ１に着脱可能に取り付けられたタブレット端末２０の撮像部２３によりＣｕｂｅ１の周囲の撮像画像を取得し、当該撮像画像を用いたセキュリティモードを実行することも可能である。また、Ｃｕｂｅ１は、光学迷彩モードにおいて、Ｃｕｂｅ１に着脱可能に取り付けられたタブレット端末２０の表示部２２に、所定の撮像画像を表示するよう制御することも可能である。
【００８９】
＜３−２．第２の実施形態＞
次に、本開示の第２の実施形態として、Ｃｕｂｅ１、Ｃｕｂｅ１に着脱可能なタブレット端末２０、およびサーバ３０によるコンテンツ出力システムについて説明する。本実施形態では、Ｃｕｂｅ１の各面に取り付けられたタブレット端末２０から、タブレット端末２０に対応する識別情報であるＩＤ（デバイスＩＤ／所有者ＩＤ）に応じたコンテンツ（ユーザへの推薦コンテンツ）が出力されることで、利便性がより向上する。
【００９０】
ここで、図８を用いて本実施形態による概要を説明する。図８は、第２の実施形態によるコンテンツ出力システムの概要を説明するための図である。図８左に示すように、例えばＣｕｂｅ１の面Ｓ１に、タブレット端末２０Ａが取り付けられると、タブレット端末２０Ａの表示部２２Ａには、タブレット端末２０Ａの所有者であるユーザＡに応じたコンテンツが表示される。ユーザＡに応じたコンテンツとは、例えばユーザＡの性別、年齢、閲覧履歴、視聴履歴等に基づいて推薦されるコンテンツである。図８左に示す例では、ユーザＡが父親であって、趣味がゴルフの場合、Ｃｕｂｅ１に取り付けられたタブレット端末２０Ａの表示部２２Ａには、例えばゴルフのニュース映像が表示される。
【００９１】
次に、図８中央に示すように、Ｃｕｂｅ１の面Ｓ２に、新たなタブレット端末２０Ｂが取り付けられると、タブレット端末２０Ａ、２０Ｂの表示部２２Ａ、２２Ｂには、タブレット端末２０Ａ、２０Ｂの各所有者であるユーザＡとユーザＢに応じたコンテンツが表示される。ユーザＡとユーザＢに応じたコンテンツとは、ユーザＡとユーザＢに共通して推薦されるコンテンツである。例えば、写真コンテンツやビデオコンテンツに、予め顔認識（自動）や手動により人物タグ情報が付加されている場合、ユーザＡのタグとユーザＢのタグが付加されている写真／ビデオコンテンツが、共通して推薦されるコンテンツとして表示される。また、ユーザＡとユーザＢに共通する趣味のニュース映像等が表示されてもよい。
【００９２】
さらに、図８右に示すように、Ｃｕｂｅ１の上面Ｓ３に、新たなタブレット端末２０Ｃが取り付けられると、タブレット端末２０Ａ〜２０Ｃの表示部２２Ａ〜２２Ｃには、タブレット端末２０Ａ〜２０Ｃの各所有者であるユーザＡ、ユーザＢ、およびユーザＣに応じたコンテンツが表示される。ユーザＡ、ユーザＢ、およびユーザＣに応じたコンテンツとは、ユーザＡ、ユーザＢ、およびユーザＣに共通して推薦されるコンテンツである。例えば、ユーザＡ、ユーザＢ、およびユーザＣが家族の場合、ファミリー向けのレジャー施設や飲食店等の案内画像が表示される。
【００９３】
なお、複数のタブレット端末２０がそれぞれ貼り付けられた面（位置）同士の位置関係を考慮して、各タブレット端末２０の所有者間の共通性に重み付けを行った上で、各タブレット端末２０に表示するコンテンツが選出されてもよい。具体的には、例えば離れた面に取り付けられたタブレット端末２０の所有者よりも、隣接する面に取り付けられたタブレット端末２０の所有者と共通して推薦されるコンテンツが優先的に選出され、表示される。
【００９４】
以上説明したようなＣｕｂｅ１に着脱可能に取り付けられたタブレット端末２０からのコンテンツ出力制御は、Ｃｕｂｅ１側で行ってもよいし、タブレット端末２０側で行ってもよいし、サーバ３０側で行ってもよい。ここでは、一例として、タブレット端末２０とサーバ３０が主体的に本実施形態によるコンテンツ出力制御を行う場合について、図９〜図１５を参照して説明する。
【００９５】
（３−２−１．タブレット端末２０の構成）
図９は、本実施形態によるタブレット端末２０のハードウェア構成の一例を示すブロック図である。図９に示すように、タブレット端末２０は、例えば、近接通信・充電アンテナ２１７、近接通信・充電処理部２１６、ＧＰＳアンテナ２２０、ＧＰＳ処理部２１９、Ｗｉｆｉアンテナ２２２、Ｗｉｆｉ処理部２２１、地磁気センサ２１２、加速度センサ２１３、ジャイロセンサ２１４、撮像部２３、ＣＰＵ２００、ＲＯＭ２０２、ＲＡＭ２０３、操作部２０４、表示部２２、デコーダ２０６、スピーカ２４、エンコーダ２０８、マイク２５、および記憶部２１０を有する。各構成の基本的な機能は、図２を参照して説明したＣｕｂｅ１の各構成と同様であるので、ここでの詳細な説明は省略する。
【００９６】
なお、近接通信・充電アンテナ２１７は、近接（非接触および接触を含む）するＣｕｂｅ１と無線通信を行うことにより、データの送受信と、電力の受給を行うことができる。
【００９７】
また、本実施形態によるＣＰＵ２００は、図１０を参照して後述するＣＰＵ２００−１として機能する。
【００９８】
以上、第２の実施形態によるタブレット端末２０のハードウェア構成について説明した。なおタブレット端末２０は、図９に示す構成に限定されず、演算部（ＣＰＵ２００）、各出力部（表示部２２、マイク２５）、各入力部（撮像部２３、操作部２０４）、通信部等の最低限の構成しか有しないシンクライアント端末であってもよい。
【００９９】
続いて、本実施形態によるタブレット端末２０が有するＣＰＵ２００−１の機能構成について図１０を参照して説明する。
【０１００】
図１０は、第２の実施形態によるタブレット端末２０のＣＰＵ２００−１の機能構成を示すブロック図である。図１０に示すように、本実施形態によるＣＰＵ２００−１は、ＩＤ要求部２３０、コンテンツ要求部２３１、コンテンツ出力制御部２３２、および取り外し通知部２３３として機能する。
【０１０１】
ＩＤ要求部２３０は、近接通信・充電処理部２１６によりＣｕｂｅ１への取り付けが検知された場合、Ｃｕｂｅ１に対応するＩＤの送信を要求する。Ｃｕｂｅ１に対応するＩＤとは、Ｃｕｂｅ  ＩＤおよびグループＩＤの少なくともいずれかであって、本実施形態では一例としてＣｕｂｅ１からＣｕｂｅ  ＩＤを取得した場合について説明する。ＩＤ要求部２３０は、取得したＣｕｂｅ  ＩＤをコンテンツ要求部２３１に供給する。
【０１０２】
コンテンツ要求部２３１は、当該タブレット端末２０がＣｕｂｅ１に取り付けられた場合、サーバ３０に対してコンテンツの送信を要求する。具体的には、コンテンツ要求部２３１は、ＩＤ要求部２３０により取得されたＣｕｂｅ  ＩＤと、当該タブレット端末２０に対応するＩＤと共に、Ｗｉｆｉアンテナ２２２を介してネットワーク上のサーバ３０に対して要求する。タブレット端末２０に対応するＩＤとは、タブレット端末２０固有のデバイスＩＤ、およびタブレット端末２０の所有者を示すユーザＩＤの少なくともいずれかである。
【０１０３】
コンテンツ出力制御部２３２は、サーバ３０から要求に応じて送信された推薦コンテンツを表示部２２またはスピーカ２４から出力するよう制御する。
【０１０４】
取り外し通知部２３３は、当該タブレット端末２０がＣｕｂｅ１から取り外された場合、サーバ３０に対して、取り外された旨を通知する。この際、取り外し通知部２３３は、Ｃｕｂｅ  ＩＤ、およびデバイスＩＤまたはユーザＩＤを併せて通知してもよい。
【０１０５】
（３−２−２．サーバ３０の構成）
以上、第２の実施形態によるタブレット端末２０の構成について詳細に説明した。続いて、図１１を参照して第２の実施形態によるサーバ３０の構成について詳細に説明する。
【０１０６】
図１１は、第２の実施形態によるサーバ３０の構成の一例を示すブロック図である。図１１に示すように、サーバ３０は、通信部３１、登録管理部３２、ＩＤデータベース３３、コンテンツ情報生成部３４、およびコンテンツデータベース３５を有する。
【０１０７】
通信部３１は、ネットワークを介してＣｕｂｅ１やタブレット端末２０とデータ通信を行う。具体的には、本実施形態による通信部３１は、タブレット端末２０からコンテンツ送信要求を受信し、また、タブレット端末２０に対してコンテンツ情報を送信する。
【０１０８】
登録管理部３２は、ＩＤデータベース３３に格納されるグループＩＤ、Ｃｕｂｅ  ＩＤ、ユーザＩＤ、およびデバイスＩＤの対応付けを管理し、また、新たなＩＤの登録や、登録済みＩＤの削除を行う。また、サーバ３０側がＩＤデータベース３３を有することで、複数のＣｕｂｅ１がサーバ３０に接続されている場合に、グループＩＤと複数のＣｕｂｅ  ＩＤとの対応付けや、複数のＣｕｂｅ  ＩＤと各ユーザＩＤ／デバイスＩＤとの対応付けを管理することができる。
【０１０９】
ここで、ＩＤデータベース３３に格納される各ＩＤの対応付けの一例を図１２に示す。図１２に示すように、グループＩＤは、複数のユーザＩＤが属するグループの属性である。図１２に示す例では、ユーザＡ〜ユーザＣがグループＡ（例えば「家族」）に属している。
【０１１０】
また、Ｃｕｂｅ  ＩＤは、各Ｃｕｂｅ固有のＩＤであって、グループＩＤより下のサブグループＩＤの概念として使用される。例えば、本システムにおいて、１家族で複数のＣｕｂｅ１を使用する場合（台所にＣｕｂｅ１Ａを置いて、寝室にＣｕｂｅ１Ｂを置く等）、Ｃｕｂｅ固有のＩＤが使用される。また、本システムにおいて、グループが１つしかない場合は、Ｃｕｂｅ  ＩＤをグループＩＤそのものとして使うこともできる。
【０１１１】
ユーザＩＤは、ユーザ固有のＩＤであって、Ｃｕｂｅ  ＩＤに対応付けられる。
【０１１２】
デバイスＩＤは、各タブレット端末固有のＩＤであって、ユーザＩＤに対応付けられる。ユーザＣのように、一人で複数のタブレット端末を所有する場合、タブレット端末に対応するＩＤとしてユーザＩＤ「ユーザＣ」のみを用いると各タブレット「タブレットＣ」「タブレットＤ」の識別が困難であるので、タブレット端末固有のデバイスＩＤが用いられる。また、デバイスＩＤは、Ｃｕｂｅ  ＩＤに直接対応付けられてもよい。
【０１１３】
図１２に示す例では、現在、Ｃｕｂｅ１ＡにユーザＡ所有のタブレット端末２０ＡおよびユーザＢ所有のタブレット端末２０Ｂが対応付けられて登録され、Ｃｕｂｅ１ＢにユーザＣ所有のタブレット端末２０Ｃ・２０Ｄが対応付けられて登録されている状態である。かかる対応付けの関係は、登録管理部３２により変更され得る。
【０１１４】
コンテンツ情報生成部３４は、要求元のタブレット端末２０でコンテンツを出力するための情報を生成する。コンテンツを出力するための情報とは、コンテンツそのもののデータや、コンテンツのＵＲＬ、または、要求元のタブレット端末２０が取り付けられているＣｕｂｅ１に取り付けられている他のタブレット端末２０のＩＤ等である。
【０１１５】
具体的には、コンテンツ情報生成部３４は、要求元のタブレット端末２０から送信されたデバイスＩＤ（またはユーザＩＤ）と、Ｃｕｂｅ  ＩＤ（またはグループＩＤ）に応じたコンテンツ情報を生成する。例えばコンテンツ情報生成部３４は、コンテンツデータベース３５に格納されているコンテンツに付加されているタグ情報や、各ユーザへの推薦コンテンツのリストを参照し、タブレット端末２０に推薦するコンテンツを抽出する。各ユーザへの推薦コンテンツのリストは、予め各ユーザの年齢、性別、趣味、閲覧履歴、視聴履歴等の各種情報を解析して各ユーザに推薦される推薦コンテンツがリスト化されたものである。
【０１１６】
また、コンテンツ情報生成部３４は、要求元のタブレット端末２０から送信されたデバイスＩＤ／ユーザＩＤと、要求元のタブレット端末２０が取り付けられているＣｕｂｅ１に取り付けられている他のタブレット端末２０のデバイスＩＤ／ユーザＩＤとに応じたコンテンツ情報を生成してもよい。コンテンツ情報生成部３４は、要求元のタブレット端末２０が取り付けられているＣｕｂｅ１に取り付けられている他のタブレット端末２０の有無に関し、ＩＤデータベース３３に格納されている各ＩＤの対応付けを参照して把握することができる。
【０１１７】
（３−２−３．動作処理）
続いて、第２の実施形態によるコンテンツ出力制御システムの動作処理について、図１３〜図１５を参照して説明する。
【０１１８】
図１３は、第２の実施形態によるコンテンツ出力制御システムにおいて、タブレット端末２０Ａが取り付けられた場合の動作処理を示すフローチャートである。図１３に示すように、まず、ステップＳ２０３において、タブレット端末２０Ａは、近接通信・充電処理部２１６によりＣｕｂｅ１への取り付けが検知されたか否かを判断する。
【０１１９】
次いで、Ｃｕｂｅ１への取り付けが検知されると（Ｓ２０３／Ｙｅｓ）、ステップＳ２０４において、タブレット端末２０ＡのＩＤ要求部２３０は、Ｃｕｂｅ１に対してＩＤの送信要求を行う。
【０１２０】
次に、ステップＳ２０６において、Ｃｕｂｅ１は、Ｃｕｂｅ１に対応するＩＤ（識別情報）として、グループＩＤまたはＣｕｂｅ  ＩＤをタブレット端末２０Ａに送信する。また、Ｃｕｂｅ１は、タブレット端末２０Ａが、Ｃｕｂｅ１のどの面に取り付けられたかを示す取り付け位置ＩＤを併せて送信してもよい。
【０１２１】
次いで、ステップＳ２０９において、タブレット端末２０Ａのコンテンツ要求部２３１は、サーバ３０に対して、タブレット端末２０Ａに対応するＩＤと、Ｃｕｂｅ１に対応するＩＤを送信し、コンテンツ要求を行う。タブレット端末２０Ａに対応するＩＤとは、ユーザＩＤ（例えば「ユーザＡ」）またはデバイスＩＤであって、Ｃｕｂｅ１に対応するＩＤとは、Ｃｕｂｅ  ＩＤ（例えば「ＣｕｂｅＡ」）またはグループＩＤ（例えば「グループＡ」）である。さらに、タブレット端末２０Ａは、Ｃｕｂｅ１から取り付け位置ＩＤを取得している場合、当該取り付け位置ＩＤもコンテンツ要求と共にサーバ３０に送信する。
【０１２２】
次に、ステップＳ２１２において、サーバ３０は、通信部３１を介してタブレット端末２０Ａから送信されたコンテンツ要求に応じて、まず、登録管理部３２により、ユーザＩＤを、Ｃｕｂｅ  ＩＤ／グループＩＤに対応付けてＩＤデータベース３３に登録する。
【０１２３】
続いて、ステップＳ２１５において、コンテンツ情報生成部３４は、ＩＤデータベース３３を参照して、ユーザＡのＩＤに対応付けられたＣｕｂｅ  ＩＤまたはグループＩＤに属する全てのユーザＩＤ（ここでは、ユーザＡのＩＤ）を認識し、当該ユーザＩＤに推薦するコンテンツ情報を生成する。ここでは、Ｃｕｂｅ  ＩＤまたはグループＩＤに属する全てのユーザＩＤが、ユーザＡのＩＤのみと想定するので、推薦するコンテンツ情報を生成する際に、取り付け位置ＩＤは特に考慮されない。
【０１２４】
次いで、ステップＳ２１８において、サーバ３０は、コンテンツ情報生成部３４により生成されたユーザＡ用のコンテンツ情報を、通信部３１を介して要求元のタブレット端末２０Ａに送信する。
【０１２５】
そして、ステップＳ２２１において、タブレット端末２０Ａは、コンテンツ出力制御部２３２により、サーバ３０から送信されたコンテンツ情報に基づいて、コンテンツを出力するよう制御する。例えばコンテンツ情報がコンテンツそのもののデータである場合、コンテンツ出力制御部２３２は、当該データを表示部２２Ａまたはスピーカ２４から出力する。また、コンテンツ情報がＵＲＬである場合、コンテンツ出力制御部２３２は、ＵＲＬに基づいて所定の格納場所からコンテンツを取得し、出力する。
【０１２６】
以上、タブレット端末２０ＡがＣｕｂｅ１に取り付けられた際に、タブレット端末２０ＡにユーザＡ用の推薦コンテンツが出力される動作処理について説明した。続いて、Ｃｕｂｅ１に、他のタブレット端末２０Ｂが新たに取り付けられた場合におけるタブレット端末２０Ａ、２０Ｂの出力制御について図１４を参照して説明する。
【０１２７】
図１４は、第２の実施形態によるコンテンツ出力制御システムにおいて、新たにタブレット端末２０Ｂが取り付けられた場合の動作処理を示すフローチャートである。図１４に示すように、まず、ステップＳ２２４において、タブレット端末２０Ｂは、近接通信・充電処理部２１６によりＣｕｂｅ１への取り付けが検知されたか否かを判断する。
【０１２８】
次いで、Ｃｕｂｅ１への取り付けが検知されると（Ｓ２２４／Ｙｅｓ）、ステップＳ２２５において、タブレット端末２０ＢのＩＤ要求部２３０は、Ｃｕｂｅ１に対してＩＤの送信要求を行う。
【０１２９】
次に、ステップＳ２２７において、Ｃｕｂｅ１は、Ｃｕｂｅ１に対応するＩＤ（識別情報）として、グループＩＤまたはＣｕｂｅ  ＩＤをタブレット端末２０Ｂに送信する。また、Ｃｕｂｅ１は、タブレット端末２０ＢがＣｕｂｅ１のどの面に取り付けられたかを示す取り付け位置ＩＤもタブレット端末２０Ｂに送信してもよい。
【０１３０】
次いで、ステップＳ２３０において、タブレット端末２０Ｂのコンテンツ要求部２３１は、サーバ３０に対して、タブレット端末２０Ｂに対応するＩＤと、Ｃｕｂｅ１に対応するＩＤを送信し、コンテンツ要求を行う。タブレット端末２０Ｂに対応するＩＤとは、ユーザＩＤ（例えば「ユーザＢ」）またはデバイスＩＤであって、Ｃｕｂｅ１に対応するＩＤとは、Ｃｕｂｅ  ＩＤ（例えば「ＣｕｂｅＡ」）またはグループＩＤ（例えば「グループＡ」）である。さらに、タブレット端末２０Ｂは、Ｃｕｂｅ１から取り付け位置ＩＤを取得している場合、当該取り付け位置ＩＤもコンテンツ要求と共にサーバ３０に送信する。
【０１３１】
次に、ステップＳ２３３において、サーバ３０は、通信部３１を介してタブレット端末２０Ｂから送信されたコンテンツ要求に応じて、まず、登録管理部３２により、ユーザＩＤを、Ｃｕｂｅ  ＩＤ／グループＩＤに対応付けてＩＤデータベース３３に登録する。
【０１３２】
続いて、ステップＳ２３６において、コンテンツ情報生成部３４は、ＩＤデータベース３３を参照し、ユーザＢのＩＤに対応付けられたＣｕｂｅ  ＩＤ／グループＩＤに属する全てのユーザＩＤ（ユーザＡのＩＤおよびユーザＢのＩＤ）を認識し、当該ユーザＩＤに推薦するコンテンツ情報を生成する。この際、コンテンツ情報生成部３４は、タブレット端末２０ＡのＣｕｂｅ１における取り付け位置と、タブレット端末２０ＢのＣｕｂｅ１における取り付け位置との位置関係を考慮して、ユーザＡおよびユーザＢに推薦するコンテンツ情報を生成してもよい。
【０１３３】
次いで、ステップＳ２３９において、サーバ３０は、コンテンツ情報生成部３４により生成されたユーザＡおよびユーザＢ用のコンテンツ情報を、通信部３１を介してユーザＡのタブレット端末２０Ａに送信する。
【０１３４】
そして、ステップＳ２４２において、タブレット端末２０Ａは、コンテンツ出力制御部２３２により、サーバ３０から送信されたコンテンツ情報に基づいて、コンテンツを出力するよう制御する。
【０１３５】
また、ステップＳ２４５において、サーバ３０は、コンテンツ情報生成部３４により生成されたユーザＡおよびユーザＢ用のコンテンツ情報を、通信部３１を介して要求元であるユーザＢのタブレット端末２０Ｂに送信する。
【０１３６】
そして、ステップＳ２４８において、タブレット端末２０Ｂは、コンテンツ出力制御部２３２により、サーバ３０から送信されたコンテンツ情報に基づいて、コンテンツを出力するよう制御する。例えばコンテンツ情報が、他のユーザＩＤ（ユーザＡのＩＤ）である場合、コンテンツ出力制御部２３２は、他のユーザＩＤと当該タブレット端末２０ＢのユーザＩＤ（ユーザＢのＩＤ）がタグ付けされたコンテンツ（写真画像やビデオ等）を記憶部２１０等から取得し、出力する。
【０１３７】
以上、Ｃｕｂｅ１に、タブレット端末２０Ａに加えて、タブレット端末２０Ｂが取り付けられた際に、タブレット端末２０Ａ、２０ＢにユーザＡ、ユーザＢ用の推薦コンテンツが出力される動作処理について説明した。このように、Ｃｕｂｅ１にタブレット端末２０Ｂが追加されると、既に取り付けられていたタブレット端末２０Ａへの推薦コンテンツが自動的に更新され、タブレット端末２０Ａとタブレット端末２０Ｂに対して共通して推薦されるコンテンツが出力される。続いて、Ｃｕｂｅ１に取り付けられたタブレット端末２０Ａが取り外された場合におけるタブレット端末２０Ｂの出力制御について図１５を参照して説明する。
【０１３８】
図１５は、第２の実施形態によるコンテンツ出力制御システムにおいて、タブレット端末２０Ａが取り外された場合の動作処理を示すフローチャートである。図１５に示すように、まず、ステップＳ２５１において、タブレット端末２０Ａは、近接通信・充電処理部２１６により当該タブレット端末２０ＡがＣｕｂｅ１から取り外されたことが検知されたか否かを判断する。
【０１３９】
次いで、Ｃｕｂｅ１からの取り外しが検知されると（Ｓ２５１／Ｙｅｓ）、ステップＳ２５４において、タブレット端末２０Ａの取り外し通知部２３３は、サーバ３０に対して、タブレット端末２０Ａに対応するＩＤ（例えばユーザＡのＩＤ）と共に、取り外し通知を行う。この際、取り外し通知部２３３は、タブレット端末２０Ａに対応するＩＤに加えて、取り外されたＣｕｂｅ  ＩＤを送信してもよい。また、タブレット端末２０Ａは、表示部２２Ａに表示していた推薦コンテンツを継続して表示していてもよいし、Ｃｕｂｅ１から取り外されたことをトリガとして推薦コンテンツの表示を終了してもよい。
【０１４０】
次に、ステップＳ２５７において、サーバ３０は、通信部３１を介してタブレット端末２０Ａから送信された取り外し通知に応じて、登録管理部３２により、ＩＤデータベース３３に格納されている各ＩＤの対応付けから、ユーザＡのＩＤの登録を削除する。
【０１４１】
続いて、ステップＳ２６０において、コンテンツ情報生成部３４は、ＩＤデータベース３３を参照し、削除されたユーザＡのＩＤに対応付けられていたＣｕｂｅ  ＩＤ／グループＩＤに属する全てのユーザＩＤ（ユーザＢのＩＤ）を認識し、当該ユーザＩＤに推薦するコンテンツ情報を生成する。若しくは、コンテンツ情報生成部３４は、取り外し通知とともにＣｕｂｅ  ＩＤが送信された場合、当該Ｃｕｂｅ  ＩＤに属する全てのユーザＩＤ（ユーザＢのＩＤ）を認識し、当該ユーザＩＤに推薦するコンテンツ情報を生成する。
【０１４２】
次いで、ステップＳ２６３において、サーバ３０は、コンテンツ情報生成部３４により生成されたユーザＢ用のコンテンツ情報を、通信部３１を介してユーザＢのタブレット端末２０Ｂに送信する。
【０１４３】
そして、ステップＳ２６６において、タブレット端末２０Ｂは、コンテンツ出力制御部２３２により、サーバ３０から送信されたコンテンツ情報に基づいて、コンテンツを出力するよう制御する。
【０１４４】
以上、Ｃｕｂｅ１からタブレット端末２０Ａが取り外された場合における本システムのコンテンツ出力制御処理について説明した。このように、Ｃｕｂｅ１からタブレット端末２０Ａが取り外されると、他に取り付けられているタブレット端末２０Ｂへの推薦コンテンツが自動的に更新され、タブレット端末２０Ｂに対して推薦されるコンテンツが出力される。
【０１４５】
上述したように、本実施形態によるタブレット端末２０のＩＤに応じた推薦コンテンツのタブレット端末２０への出力制御は、タブレット端末２０とサーバ３０により主体的に行われる。しかしながら、本実施形態による出力制御は、タブレット端末２０とサーバ３０が主体的に行う場合に限定されず、上述したように、例えばＣｕｂｅ１側で行ってもよい。以下、本実施形態の変形例として、Ｃｕｂｅ１が主体的に推定コンテンツの出力制御を行う場合について、図１６〜図１７を参照して説明する。
【０１４６】
（３−２−４．変形例）
図１６は、第２の実施形態の変形例によるＣｕｂｅ１のＣＰＵ１００−２の機能構成を説明するためのブロック図である。図１６に示すように、ＣＰＵ１００−２は、ＩＤ要求部１３２ａ、登録管理部１３２ｂ、コンテンツ情報生成部１３２ｃ、およびコンテンツ出力制御部１３２ｄとして機能する。
【０１４７】
ＩＤ要求部１３２ａは、当該Ｃｕｂｅ１の面にタブレット端末２０が取り付けられたことが近接通信・充電処理部１１６により検知された場合、タブレット端末２０に対して、タブレット端末２０に対応するＩＤ（デバイスＩＤおよびユーザＩＤの少なくともいずれか）の送信を要求する。ＩＤ要求部２３０は、取得したユーザＩＤ（またはデバイスＩＤ）を登録管理部１３２ｂに供給する。
【０１４８】
登録管理部１３２ｂは、記憶部１１０のＩＤデータベース１１０ａに格納されるユーザＩＤ／デバイスＩＤを管理する。具体的には、登録管理部１３２ｂは、新たなユーザＩＤ／デバイスＩＤの登録や、登録済みユーザＩＤ／デバイスＩＤの削除を行う。
【０１４９】
コンテンツ情報生成部１３２ｃは、タブレット端末２０がＣｕｂｅ１に取り付けられると、タブレット端末２０のユーザＩＤ／デバイスＩＤに応じたコンテンツ情報を生成する。具体的には、コンテンツ情報生成部１３２ｃは、タブレット端末２０の所有者であるユーザの年齢、性別、趣味、閲覧履歴、視聴履歴等に基づいてユーザに推薦するコンテンツを出力するためのコンテンツ情報を生成する。推薦コンテンツは、当該Ｃｕｂｅ１が内蔵する記憶部１１０のコンテンツデータベース１１０ｂから取得されてもよいし、Ｗｉｆｉアンテナ１２２を介してネットワーク上の所定のコンテンツサーバから取得されてもよい。また、コンテンツデータベース１１０ｂには、各ユーザへの推薦コンテンツのリストが格納されていてもよい。
【０１５０】
この際、コンテンツ情報生成部１３２ｃは、ＩＤデータベース１１０ａを参照し、現在当該Ｃｕｂｅ１に取り付けられている他のタブレット端末２０のユーザＩＤ／デバイスＩＤを認識し、全ユーザＩＤ／デバイスＩＤに共通して推薦できるコンテンツの情報を取得する。また、コンテンツ情報生成部１３２ｃは、複数のタブレット端末２０がＣｕｂｅ１に取り付けられている場合、各タブレット端末２０が取り付けられている面の位置関係を考慮して、推薦コンテンツを取得してもよい。具体的には、例えばコンテンツ情報生成部１３２ｃは、離れた面に取り付けられているタブレット端末同士よりも、隣り合う面に取り付けられているタブレット端末同士に共通して推薦できるコンテンツを優先して取得する。
【０１５１】
コンテンツ出力制御部１３２ｄは、コンテンツ情報生成部１３２ｃにより生成された推薦コンテンツの情報に基づいて、Ｃｕｂｅ１の面に取り付けられたタブレット端末２０の表示部２２またはスピーカ２４から出力するよう制御する。具体的には、コンテンツ出力制御部１３２ｄは、近接通信・充電アンテナ１１７を介して推薦コンテンツの情報をタブレット端末２０に送信し、タブレット端末２０から出力するよう制御する。
【０１５２】
以上、第２の実施形態の変形例によるＣｕｂｅ１のＣＰＵ１００−２の機能構成について説明した。このように、Ｃｕｂｅ１は、取り付けられたタブレット端末２０と通信してＩＤを取得し、当該ＩＤに応じてユーザに推薦できるコンテンツをタブレット端末２０の出力部から出力させるという連携動作を行うことができる。なお複数のタブレット端末２０Ａ、２０ＢがＣｕｂｅ１に取り付けられている場合、コンテンツ情報生成部１３２ｃは、近接通信・充電アンテナ１１７を介して例えばタブレット端末２０Ａから推薦コンテンツを取得してもよい。この場合、コンテンツ出力制御部１３２ｄは、取得した推薦コンテンツを、近接通信・充電アンテナ１１７を介して他のタブレット端末２０Ｂに送信し、タブレット端末２０Ａ、２０Ｂにおいて同推薦コンテンツを出力するよう制御することができる。続いて、第２の実施形態の変形例による動作処理について図１７を参照して説明する。
【０１５３】
図１７は、第２の実施形態の変形例による出力制御処理を示すフローチャートである。図１７に示すように、まず、ステップＳ２７３において、Ｃｕｂｅ１は、近接通信・充電処理部１１６によりＣｕｂｅ１の面へのタブレット端末２０の取り付けが検知されたか否かを判断する。
【０１５４】
次いで、Ｃｕｂｅ１への取り付けが検知されると（Ｓ２７３／Ｙｅｓ）、ステップＳ２７５において、Ｃｕｂｅ１のＩＤ要求部１３２ａは、タブレット端末２０に対してＩＤの送信要求を行い、タブレット端末２０に対応するＩＤを取得する。ここでは、タブレット端末２０Ａが取り付けられた場合を想定して説明する。Ｃｕｂｅ１のＩＤ要求部１３２ａは、タブレット端末２０Ａから取得したＩＤ（ユーザＩＤ／デバイスＩＤ）を登録管理部１３２ｂに供給する。登録管理部１３２ｂは、ＩＤデータベース１１０ａに、ＩＤ要求部１３２ａが取得したタブレット端末２０ＡのＩＤ（例えばユーザＡのＩＤ）を登録する。
【０１５５】
次に、ステップＳ２７７において、コンテンツ情報生成部１３２ｃは、ＩＤデータベース１１０ａを参照して、現在Ｃｕｂｅ１に取り付けられている全てのタブレット端末２０のＩＤ（ここでは、ユーザＡのＩＤ）を認識し、ユーザＡに推薦するコンテンツ情報を生成する。
【０１５６】
そして、ステップＳ２７９において、コンテンツ出力制御部１３２ｄは、コンテンツ情報生成部１３２ｃに生成されたコンテンツ情報に基づいて、ユーザＡに推薦するコンテンツをタブレット端末２０Ａから出力するよう制御する。
【０１５７】
続いて、Ｃｕｂｅ１の他の面への新たなタブレット端末２０の取り付けが検知されると（ステップＳ２８１／Ｙｅｓ）、ステップＳ２８３において、Ｃｕｂｅ１のＩＤ要求部１３２ａは、タブレット端末２０に対してＩＤの送信要求を行う。ここでは、タブレット端末２０Ｂが新たに取り付けられた場合を想定して説明する。Ｃｕｂｅ１のＩＤ要求部１３２ａは、タブレット端末２０Ｂから取得したＩＤ（ユーザＩＤ／デバイスＩＤ）を登録管理部１３２ｂに供給する。登録管理部１３２ｂは、ＩＤデータベース１１０ａに、ＩＤ要求部１３２ａが取得したタブレット端末２０ＢのＩＤ（例えばユーザＢのＩＤ）を登録する。
【０１５８】
次に、ステップＳ２８５において、コンテンツ情報生成部１３２ｃは、ＩＤデータベース１１０ａを参照し、現在Ｃｕｂｅ１に取り付けられている全てのタブレット端末２０のＩＤ（ここではユーザＡ及びユーザＢのＩＤ）を認識する。また、コンテンツ情報生成部１３２ｃは、ユーザＡ及びユーザＢに共通して推薦するコンテンツ情報を生成する。
【０１５９】
そして、ステップＳ２８７において、コンテンツ出力制御部１３２ｄは、コンテンツ情報生成部１３２ｃに生成されたコンテンツ情報に基づいて、ユーザＡ、ユーザＢに推薦するコンテンツをタブレット端末２０Ａ、２０Ｂから出力するよう制御する。
【０１６０】
続いて、ステップＳ２８９において、Ｃｕｂｅ１は、近接通信・充電処理部１１６によりＣｕｂｅ１からタブレット端末２０が取り外されたことが検知されたか否かを判断する。
【０１６１】
タブレット端末２０の取り外しが検知されると（Ｓ２８９／Ｙｅｓ）、ステップＳ２９１において、登録管理部１３２ｂは、取り外されたタブレット端末２０のＩＤを、ＩＤデータベース３３から削除する。ここでは、タブレット端末２０Ａが取り外された場合を想定して説明する。この場合、登録管理部１３２ｂは、タブレット端末２０ＡのユーザＩＤ（ユーザＡのＩＤ）を、ＩＤデータベース３３から削除する。
【０１６２】
次いで、ステップＳ２９３において、コンテンツ情報生成部１３２ｃは、ＩＤデータベース１１０ａを参照し、現在Ｃｕｂｅ１に取り付けられている全てのタブレット端末２０のＩＤ（ここではユーザＢのＩＤ）を認識し、ユーザＢに推薦するコンテンツ情報を生成する。
【０１６３】
そして、ステップＳ２９５において、コンテンツ出力制御部１３２ｄは、コンテンツ情報生成部１３２ｃに生成されたコンテンツ情報に基づいて、ユーザＢに推薦するコンテンツをタブレット端末２０Ｂから出力するよう制御する。
【０１６４】
以上、第２の実施形態による出力制御システムについて詳細に説明した。なおタブレット端末２０がＣｕｂｅ１に取り付けられた際に、いずれか一方からのＩＤの送信要求（ＩＤ要求部２３０、ＩＤ要求部１３２ａによる要求）に応じて、他方がＩＤを送信しているが、本実施形態によるＩＤ送信のタイミングはこれに限定されない。例えば、Ｃｕｂｅ１へのタブレット端末２０の取り付けが検知されたことをトリガとして、一方から他方に自動的にＩＤを送信してもよい。さらに、上記第２の実施形態およびその変形例では、図８に示すように、複数のユーザＩＤに基づいて生成した同じコンテンツ情報を、Ｃｕｂｅ１に取り付けられている複数のタブレット端末２０に出力しているが、本実施形態による出力制御はこれに限定されない。例えば、本実施形態では、複数のユーザＩＤ（またはデバイスＩＤ）に基づいて生成した複数の異なるコンテンツ情報を、Ｃｕｂｅ１に取り付けられている複数のタブレット端末２０からそれぞれ出力することも可能である。
【０１６５】
＜３−３．第３の実施形態＞
次に、本開示の第３の実施形態について図１８〜図２２を参照して説明する。第３の実施形態によるＣｕｂｅ１は、各面にタブレット端末２０のＩＤを対応付け、当該ＩＤが対応付けられた面に対する呼び出し操作に応じて、面を介して、遠隔にあるタブレット端末２０との双方向通信を実現するといった連携動作を行うことができる。以下、図１８を参照して第３の実施形態の概要について説明する。
【０１６６】
図１８は、第３の実施形態によるＣｕｂｅ１の面を介したタブレット端末２０との双方向通信の概要を説明するための図である。図１８に示すように、本実施形態によるＣｕｂｅ１は、Ｃｕｂｅ１を形成する立方体形状の各面に着脱可能に取り付けられているタブレット端末２０のＩＤを、各面に対応付けて記憶する。
【０１６７】
具体的には、図１８左に示すように、Ｃｕｂｅ１の面Ｓ１には、面Ｓ１に取り付けられているタブレット端末２０ＡのＩＤ（ユーザＩＤ／デバイスＩＤ）を対応付けて記憶し、面Ｓ２には、面Ｓ２に取り付けられているタブレット端末２０ＢのＩＤを対応付けて記憶する。
【０１６８】
次いで、図１８中央に示すように、Ｃｕｂｅ１の面Ｓ１からタブレット端末２０Ａが取り外されても、Ｃｕｂｅ１は、面Ｓ１とタブレット端末２０ＡのＩＤとの対応付けを記憶し続ける。ここでは、Ｃｕｂｅ１からタブレット端末２０Ａが取り外される場合として、例えば家庭において、リビングにＣｕｂｅ１が置かれている場合に、ユーザＡが自分のタブレット端末２０ＡをＣｕｂｅ１から取り外して自室に持っていった場合が想定される。
【０１６９】
Ｃｕｂｅ１は、図１８中央に示すように、面Ｓ１に固定されている表示部２Ａに、現在対応付けて記憶されているタブレット端末２０ＡのＩＤで示される所有者（ユーザＡ）を明示する画像を表示する。例えばＣｕｂｅ１は、予め各所有者用に設定された色、名前、顔画像、アイコン、アバター、キャラクター等の少なくともいずれかにより、Ｃｕｂｅ１の面に対応付けられているタブレット端末２０の所有者を識別可能に明示する。これにより、面Ｓ１にユーザＡが対応付けられていることが直感的に把握される。
【０１７０】
この場合、図１８中央に示すように、例えばユーザＢが面Ｓ１をノック等して、ユーザＡを呼び出すことができる。具体的には、Ｃｕｂｅ１は、面Ｓ１がノックされたことを検知すると、面Ｓ１に対応付けられているＩＤに基づいて、タブレット端末２０Ａの呼び出しを行う。例えばＣｕｂｅ１は、Ｗｉｆｉアンテナ１２２からネットワークを介して、または通話及び通信用の携帯電話網と無線で接続する機能を有する電話網アンテナ（不図示）から携帯電話網を介して、タブレット端末２０Ａを呼び出す。
【０１７１】
そして、タブレット端末２０Ａが呼び出しに応答すると、図１８右に示すように、Ｃｕｂｅ１の面Ｓ１に固定された撮像部３Ａ、スピーカ４Ａ、マイク（不図示）等を介して、タブレット端末２０Ａとの通話やビデオチャットが実現される。
【０１７２】
以上、本実施形態の概要について説明した。続いて、本実施形態によるＣｕｂｅ１が有するＣＰＵ１００−３について図１９を参照して説明する。
【０１７３】
（３−３−１．機能構成）
図１９は、第３の実施形態によるＣｕｂｅ１のＣＰＵ１００−３の機能構成を示すブロック図である。図１９に示すように、本実施形態によるＣＰＵ１００−３は、ＩＤ要求部１３４ａ、登録管理部１３４ｂ、表示制御部１３４ｃ、および通信制御部１３４ｄとして機能する。
【０１７４】
ＩＤ要求部１３４ａは、当該Ｃｕｂｅ１の面にタブレット端末２０が取り付けられたことが近接通信・充電処理部１１６により検知された場合、タブレット端末２０に対して、ＩＤ（デバイスＩＤおよびユーザＩＤの少なくともいずれか）の送信を要求する。ＩＤ要求部１３４ａは、取得したユーザＩＤ／デバイスＩＤを登録管理部１３４ｂに供給する。
【０１７５】
登録管理部１３４ｂは、記憶部１１０の対応面データベース１１０ｃに格納される、Ｃｕｂｅ１の各面のＩＤ（面Ｓ１、面Ｓ２、上面Ｓ３等）と、ユーザＩＤ／デバイスＩＤの対応付けを管理する。具体的には、登録管理部１３４ｂは、新たなユーザＩＤ／デバイスＩＤの登録や、登録済みユーザＩＤ／デバイスＩＤの削除を行う。
【０１７６】
表示制御部１３４ｃは、対応面データベース１１０ｃを参照し、Ｃｕｂｅ１の各面に対応付けられているタブレット端末（またはその所有者であるユーザ）を明示するよう、各面に固定されている表示部２の表示を制御する。例えば表示制御部１３４ｃは、予めユーザに設定された所定の色、名前、顔画像、アイコン、アバター、キャラクター等の少なくともいずれかを、対応付けられた面の表示部２に表示するよう制御する。若しくは、表示制御部１３４ｃは、Ｃｕｂｅ１の上面に設けられた表示部２を専用ディスプレイと定義し、上面に連結する４つの側面それぞれに対応付けられたユーザを示す表示を、上面の表示部２に表示してもよい。
【０１７７】
通信制御部１３４ｄは、Ｃｕｂｅ１を形成する各面のいずれか１面に対するユーザによる呼び出し操作に応じて、呼び出し操作が行われた面に対応付けられたタブレット端末２０との通信（通話やビデオチャット等の双方向通信）を開始するよう制御する。タブレット端末２０との通信は、Ｗｉｆｉアンテナ１２２からネットワークを介して、または電話網アンテナ（不図示）から携帯電話網を介して行われる。また、Ｃｕｂｅ１の面に対するユーザによる呼び出し操作（ノック等）は、例えば表示部２に積層して設けられたタッチセンサ（操作部１０４の一例）により検出されてもよいし、面に設けられたボタンやスイッチ（操作部１０４の一例）により検出されてもよい。なお本実施形態による通信制御部１３４ｄは、双方向通信の開始制御に限定されず、タブレット端末２０に対する一方的な呼び出し通知を行うよう制御してもよい。呼び出し通知を受けたタブレット端末２０は、表示部２２を点滅させたり、表示部２２に「Ｃｕｂｅ１からの呼び出しあり」と表示させたりする。
【０１７８】
以上、本実施形態によるＣＰＵ１００−３の機能構成について説明した。次に、本実施形態による動作処理について図２０〜図２２を参照して説明する。
【０１７９】
（３−３−２．動作処理）
図２０は、第３の実施形態によるＣｕｂｅ１の各面に対応するＩＤの登録処理を示すフローチャートである。図２０に示すように、まず、ステップＳ３１８において、Ｃｕｂｅ１は、近接通信・充電処理部１１６によりＣｕｂｅ１へのタブレット端末２０の取り付けが検知されたか否かを判断する。
【０１８０】
タブレット端末２０の取り付けが検知された場合（Ｓ３０３／Ｙｅｓ）、ステップＳ３０６において、ＩＤ要求部１３４ａは、タブレット端末２０のユーザＩＤ／デバイスＩＤの送信をタブレット端末２０に対して要求し、取得する。ＩＤ要求部１３４ａは、取得したタブレット端末２０のＩＤを登録管理部１３４ｂに供給する。
【０１８１】
次いで、ステップＳ３０９において、登録管理部１３４ｂは、対応面データベース１１０ｃを参照し、タブレット端末２０が取り付けられた面に、既に他ユーザＩＤ／他デバイスＩＤが登録済みか否かを判断する。
【０１８２】
他ユーザＩＤ／他デバイスＩＤが登録済みであった場合（Ｓ３０９／Ｙｅｓ）、ステップＳ３１２において、登録管理部１３４ｂは、登録済みの他ユーザＩＤ／他デバイスＩＤを、未登録の面に変更する。
【０１８３】
例えばＣｕｂｅ１の面Ｓ１に、ユーザＣのＩＤが既に対応付けられ対応面データベース１１０ｃに登録されていた場合、図２１左に示すように、面Ｓ１の表示部２Ａには、ユーザＣを明示する画像が表示されている。このような場合に、Ｃｕｂｅ１の面Ｓ１にタブレット端末２０Ａが取り付けられると、Ｃｕｂｅ１の登録管理部１３４ｂは、既に登録済みのユーザＣのＩＤを、未登録の面、例えば上面Ｓ３に変更する。これに伴い、Ｃｕｂｅ１の表示制御部１３４ｃは、図２１右に示すように、Ｃｕｂｅ１の上面Ｓ３の表示部２Ｃに、ユーザＣを明示する画像を表示するよう制御する。
【０１８４】
そして、登録変更後または他ユーザＩＤ／他デバイスＩＤが登録済みでない場合（Ｓ３０９／Ｎｏ）、ステップＳ３１５において、登録管理部１３４ｂは、タブレット端末２０が取り付けられた面に当該タブレット端末２０のＩＤを対応付けて対応面データベース１１０ｃに登録する。
【０１８５】
以上、Ｃｕｂｅ１の面とタブレット端末２０のＩＤとの対応付け処理（登録処理）について説明した。なお、上記Ｓ３１２で、未登録の面が無かった場合、登録管理部１３４ｂは、登録時間が最も過去の（登録が古い）ＩＤを削除することで、未登録の面を出してもよい。続いて、タブレット端末２０がＣｕｂｅ１から取り外された後、Ｃｕｂｅ１の面に対して他ユーザによる呼び出し操作があった場合の動作処理について、図２２を参照して説明する。
【０１８６】
図２２は、第３の実施形態によるＣｕｂｅ１の通信制御処理を示すフローチャートである。図２２に示すように、まず、ステップＳ３１８において、Ｃｕｂｅ１の操作部１０４は、タブレット端末２０に対するユーザによる呼び出し操作を検知したか否かを判断する。
【０１８７】
呼び出し操作を検知した場合（Ｓ３１８／Ｙｅｓ）、ステップＳ３２１において、通信制御部１３４ｄは、呼び出し操が検知された面に対応して登録されているタブレット端末２０のユーザＩＤ／デバイスＩＤを対応面データベース１１０ｃから抽出する。
【０１８８】
次いで、ステップＳ３２４において、通信制御部１３４ｄは、呼び出し操が検知された面に対応付けられたユーザＩＤ／デバイスＩＤが、対応面データベース１１０ｃに存在するか否かを判断する。
【０１８９】
対応面データベース１１０ｃに存在する場合（Ｓ３２４／Ｎｏ）、通信制御部１３４ｄは、抽出したユーザＩＤ／デバイスＩＤに基づいて、ネットワーク／携帯電話網を介してタブレット端末２０の呼び出しを行う。
【０１９０】
次に、ステップＳ３３０において、通信制御部１３４ｄは、タブレット端末２０からの呼び出し応答を検知したか否かを判断する。
【０１９１】
呼び出し応答が検知されなかった場合（Ｓ３３０／Ｎｏ）、ステップＳ３２７において、通信制御部１３４ｄは呼び出しを繰り返す。通信制御部１３４ｄは、所定回数呼び出しを繰り返してもタブレット端末２０からの応答がなかった場合、呼び出しを終了する。
【０１９２】
一方、呼び出し応答が検知された場合（Ｓ３３０／Ｙｅｓ）、ステップＳ３３３において、通信制御部１３４ｄは、呼び出し操作に対応した通信（音声通話か、ビデオチャットか等）をタブレット端末２０と開始するよう制御する。
【０１９３】
以上、本実施形態による通信制御について説明した。なお本実施形態による通信制御は、Ｃｕｂｅ１で行われることに限定されず、例えばＣｕｂｅ１とサーバ３０により行われてもよい。具体的には、サーバ３０が対応面データベースや登録管理部を有している場合、図２０に示すＳ３０９〜Ｓ３１５の処理や、図２２に示すＳ３２１〜Ｓ３３３の処理を、サーバ３０側で行ってもよい。
【０１９４】
＜３−４．第４の実施形態＞
次に、本開示の第４の実施形態について図２３〜図２５を参照して説明する。第４の実施形態によるＣｕｂｅ１は、近接するタブレット端末２０を検知することにより、タブレット端末２０に応じたコンテンツを出力制御するといった連携動作を実現することができる。以下、図２３を参照して第４の実施形態の概要について説明する。
【０１９５】
図２３は、第４の実施形態の概要を説明するための図である。図２３に示すように、本実施形態によるＣｕｂｅ１ａは、タブレット端末２０が近接している（近づいて来ている）ことを検知すると、タブレット端末２０の所有者に対するメッセージを出力する。具体的には、例えば図２３に示すように、Ｃｕｂｅ１ａは、表示部２に「お帰りなさい」といった挨拶のメッセージを表示する。挨拶の内容は、時間帯に応じて適した挨拶が自動的に選択される。また、他ユーザからの伝言が登録されている場合、当該伝言が表示される。
【０１９６】
また、本実施形態では、メッセージの表示に限定されず、メッセージの音声出力が併せて行われてもよい。例えば図２３に示すように、本実施形態によるＣｕｂｅ１ｂは、表示部２にエージェントを表示させ、スピーカ４からエージェントの声で「お帰りなさい」といった挨拶を音声出力させる。
【０１９７】
以上、本実施形態の概要について説明した。続いて、本実施形態によるＣｕｂｅ１が有するＣＰＵ１００−４について図２４を参照して説明する。
【０１９８】
（３−４−１．機能構成）
図２４は、第４の実施形態によるＣｕｂｅ１のＣＰＵ１００−４の機能構成を示すブロック図である。図２４に示すように、本実施形態によるＣＰＵ１００−４は、ＩＤ取得部１３６ａ、コンテンツ取得部１３６ｂ、および出力制御部１３６ｃとして機能する。
【０１９９】
ＩＤ取得部１３６ａは、タブレット端末２０から送信されるタブレット端末２０に対応するＩＤ（デバイスＩＤ／ユーザＩＤ）を受信する。具体的には、タブレット端末２０から定期的にブロードキャストされる信号を受信して当該信号からＩＤを取得してもよいし、撮像部３や人感センサ等によりユーザが検出されたことをトリガにタブレット端末２０にポーリングを開始してＩＤを受信してもよい。また、ＩＤ取得部１３６ａは、予めＣｕｂｅ１のユーザとして設定されたＩＤのみを取得することもできる。これにより、設定されていないタブレット端末２０からのアクセスは拒絶される。
【０２００】
コンテンツ取得部１３６ｂは、ＩＤ取得部１３６ａにより取得されたタブレット端末２０のＩＤに応じて、所定のコンテンツを取得する。所定のコンテンツは、当該Ｃｕｂｅ１が内蔵する記憶部１１０から取得されてもよいし、ネットワークを介してサーバ３０から取得されてもよい。例えばコンテンツ取得部１３６ｂは、所定のコンテンツとして、ユーザにより予め設定された所定のエージェントによる挨拶コンテンツや、ユーザに対する他ユーザからの伝言コンテンツ等、タブレット端末２０の所有者（ユーザ）に対するメッセージを取得する。
【０２０１】
出力制御部１３６ｃは、コンテンツ取得部１３６ｂにより取得されたコンテンツを、Ｃｕｂｅ１の少なくとも１面に表示されている表示部２や、スピーカ４から出力するよう制御する。なおＣｕｂｅ１の面に着脱可能なタブレット端末が取り付けられている場合、出力制御部１３６ｃは、取り付けられているタブレット端末の表示部やスピーカからコンテンツを出力するよう制御することができる。
【０２０２】
以上、本実施形態によるＣＰＵ１００−４の機能構成について説明した。次に、本実施形態による動作処理について図２５を参照して説明する。
【０２０３】
（３−４−２．動作処理）
図２５は、第４の実施形態によるＣｕｂｅ１が近接するタブレット端末２０に応じたコンテンツを出力する際の動作処理を示すフローチャートである。図２５に示すように、まず、ステップＳ４０３において、タブレット端末２０は、自動的に、またはＣｕｂｅ１からの要求に応じて、デバイスＩＤ／ユーザＩＤを含む信号をＣｕｂｅ１に送信する。
【０２０４】
次いで、タブレット端末２０から信号を受信した場合（Ｓ４０６／Ｙｅｓ）、ステップＳ４０９において、Ｃｕｂｅ１のＩＤ取得部１３６ａは、受信した信号からデバイスＩＤ／ユーザＩＤを取得する。ここで、Ｃｕｂｅ１は、近接通信・充電アンテナ１１７により所定範囲内に近付いたタブレット端末２０から信号を受信し得る。
【０２０５】
以下、一例としてＩＤ取得部１３６ａがタブレット端末２０からデバイスＩＤを取得した場合を想定して説明する。
【０２０６】
次に、ステップＳ４１２において、コンテンツ取得部１３６ｂは、ＩＤ取得部１３６ａにより取得されたタブレット端末２０のデバイスＩＤに対応するコンテンツが、内蔵する記憶部１１０に格納されているか否かを判断する。
【０２０７】
記憶部１１０に格納されていない場合（Ｓ４１２／Ｎｏ）、ステップＳ４１５において、コンテンツ取得部１３６ｂは、ネットワーク上の所定のサーバ３０に対してデバイスＩＤに対応するコンテンツの送信を要求する。
【０２０８】
次いで、ステップＳ４１８において、サーバ３０は、Ｃｕｂｅ１からの要求に応じて、デバイスＩＤに対応するコンテンツを検索し、取得する。
【０２０９】
続いて、ステップＳ４２１において、サーバ３０は、取得したコンテンツをＣｕｂｅ１に送信する。
【０２１０】
そして、タブレット端末２０のＩＤに対応するコンテンツをサーバ３０から受信した場合、または記憶部１１０から取得できた場合（Ｓ４１２／Ｙｅｓ）、ステップＳ４２４において、Ｃｕｂｅ１の出力制御部１３６ｃは、コンテンツを出力するよう制御する。
【０２１１】
以上、第４の実施形態による出力制御システムについて詳細に説明した。
【０２１２】
＜３−５．第５の実施形態＞
次に、本開示の第５の実施形態について図２６〜図２８を参照して説明する。上記第４の実施形態では、近接するタブレット端末２０の所有者に対するメッセージを出力したが、本開示による出力制御はこれに限定されず、タブレット端末２０で予め登録されたウェブページを出力することもできる。さらに、本実施形態によるＣｕｂｅ１は、近接するタブレット端末２０に対して電力の無線供給を行うことも可能である。以下、このようなタブレット端末２０の近接に応じたウェブページの出力およびタブレット端末２０に対する給電（電力送信）といった連携動作を行う第５の実施形態によるＣｕｂｅ１の概要について、図２６を参照して説明する。
【０２１３】
図２６は、第５の実施形態によるＣｕｂｅ１の機能の概要を説明するための図である。図２６に示すように、タブレット端末２０が、Ｃｕｂｅ１を中心とする所定の範囲Ｒ内に近付くと、Ｃｕｂｅ１は、タブレット端末２０に対して無線給電を開始する。Ｃｕｂｅ１は、タブレット端末２０の電池残量が所定値以下の場合に無線給電を開始するよう制御してもよい。また、この際、タブレット端末２０は、給電中を示すマークを表示してもよい。
【０２１４】
また、Ｃｕｂｅ１は、給電を開始すると共に、タブレット端末２０において予めブックマークやフェイバリット登録されたウェブページのＵＲＬをタブレット端末２０から受信した場合、ネットワークを介してサーバ３０に接続し、当該ＵＲＬで示されるウェブページを取得する。そして、Ｃｕｂｅ１は、複数のブックマーク等があった場合は、Ｃｕｂｅ１を形成する各面の各表示部２Ａ、２Ｂに、各ウェブページを表示する。これによりユーザは、タブレット端末２０の電池残量が少なく、Ｃｕｂｅ１により充電中であっても、タブレット端末２０で予めブックマークしたウェブページを、Ｃｕｂｅ１で閲覧することができる。
【０２１５】
以上、本実施形態の概要について説明した。続いて、本実施形態によるＣｕｂｅ１が有するＣＰＵ１００−５について図２７を参照して説明する。
【０２１６】
（３−５−１．機能構成）
図２７は、第５の実施形態によるＣｕｂｅ１のＣＰＵ１００−５の機能構成を示すブロック図である。図２７に示すように、本実施形態によるＣＰＵ１００−５は、ＩＤ取得部１３８ａ、給電制御部１３８ｂ、ブックマーク取得部１３８ｃ、および表示制御部１３８ｄとして機能する。
【０２１７】
ＩＤ取得部１３８ａは、タブレット端末２０から送信されるタブレット端末２０に対応するＩＤ（デバイスＩＤ／ユーザＩＤ）を受信する。具体的には、タブレット端末２０から定期的にブロードキャストされる信号を受信して当該信号からＩＤを取得してもよいし、撮像部３や人感センサ等によりユーザが検出されたことをトリガにタブレット端末２０にポーリングを開始してＩＤを受信してもよい。また、ＩＤ取得部１３８ａは、予めＣｕｂｅ１のユーザとして設定されたＩＤのみを取得することもできる。これにより、設定されていないタブレット端末２０からのアクセスは拒絶される。
【０２１８】
給電制御部１３８ｂは、ＩＤ取得部１３８ａによりＩＤが取得されたタブレット端末２０に対して、近接通信・充電処理部１１６および近接通信・充電アンテナ１１７により電力の供給を行うよう制御する。また、給電制御部１３８ｂは、タブレット端末２０の電池残量が所定値以下の場合に無線給電を開始してもよい。
【０２１９】
ブックマーク取得部１３８ｃは、ＩＤ取得部１３８ａによりＩＤが取得されたタブレット端末２０に対して、予め登録されたウェブページのＵＲＬを示すブックマークの情報を要求し、当該ＵＲＬ（ブックマーク）で示されるウェブページを取得する。
【０２２０】
表示制御部１３８ｄは、ブックマーク取得部１３８ｃにより取得されたウェブページを表示部２に表示するよう制御する。また、複数のブックマークに対応する複数のウェブページが取得された場合、表示制御部１３８ｄは、Ｃｕｂｅ１を形成する各面の表示部２にそれぞれ各ウェブページを表示するよう制御する。なおＣｕｂｅ１の面に着脱可能なタブレット端末が取り付けられている場合、表示制御部１３８ｄは、取り付けられているタブレット端末の表示部からウェブページを表示するよう制御することができる。
【０２２１】
以上、本実施形態によるＣＰＵ１００−５の機能構成について説明した。次に、本実施形態による動作処理について図２８を参照して説明する。
【０２２２】
（３−５−２．動作処理）
図２８は、第５の実施形態によるＣｕｂｅ１が近接するタブレット端末２０と通信を行い連携して動作する際の動作処理を示すフローチャートである。図２８に示すように、まず、ステップＳ５０３において、タブレット端末２０は、自動的に、またはＣｕｂｅ１からの要求に応じて、デバイスＩＤ／ユーザＩＤを含む信号をＣｕｂｅ１に送信する。
【０２２３】
次に、ステップＳ５０６において、Ｃｕｂｅ１のＩＤ取得部１３８ａは、タブレット端末２０から信号を受信したか否かを判断する。具体的には、ＩＤ取得部１３８ａは、タブレット端末２０から受信した信号からデバイスＩＤ／ユーザＩＤを取得できたか否かを判断する。ここで、Ｃｕｂｅ１は、近接通信・充電アンテナ１１７により所定範囲内に近付いたタブレット端末２０から信号を受信し得る。また、ＩＤ取得部１３８ａは、予めＣｕｂｅ１のユーザとして設定されたＩＤのみを取得することもできる。これにより、設定されていないタブレット端末２０からのアクセスは拒絶される。
【０２２４】
以下、一例としてＩＤ取得部１３８ａがタブレット端末２０からデバイスＩＤを取得した場合を想定して説明する。
【０２２５】
次いで、タブレット端末２０から信号を受信した場合（Ｓ５０６／Ｙｅｓ）、ステップＳ５０９において、給電制御部１３８ｂは、ＩＤ取得部１３８ａによりデバイスＩＤが取得されたタブレット端末２０に対して、近接通信・充電アンテナ１１７を介して給電を開始する。
【０２２６】
次に、ステップＳ５１２において、ブックマーク取得部１３８ｃは、ＩＤ取得部１３８ａによりデバイスＩＤが取得されたタブレット端末２０に対して、ブックマークを要求する。
【０２２７】
次いで、ステップＳ５１５において、タブレット端末２０は、予めユーザによりブックマーク登録やフェイバリット登録されたウェブページのＵＲＬ（Ｕｎｉｆｏｒｍ  Ｒｅｓｏｕｒｃｅ  Ｌｏｃａｔｏｒ）の情報（以下、ブックマーク情報とも称す）をＣｕｂｅ１に送信する。タブレット端末２０において複数のブックマークが登録されている場合は、複数のブックマーク情報（ＵＲＬ）が送信される。
【０２２８】
続いて、ステップＳ５１８において、ブックマーク取得部１３８ｃは、タブレット端末２０から送信されたブックマーク情報（ＵＲＬ）に基づき、サーバ３０（例えばＤＮＳサーバ）にアクセスし、ＵＲＬで示されるウェブページを要求する。なお、図２８に示すフローでは、ブックマーク取得部１３８ｃがタブレット端末２０から複数のブックマーク情報を受信した場合を想定し、Ｓ５１８において、ブックマーク取得部１３８ｃは、第１のブックマーク情報で示されるウェブページの要求を行う。
【０２２９】
次に、ステップＳ５２１において、サーバ３０は、要求された第１のブックマーク情報で示される第１のウェブページの表示情報を送信する。
【０２３０】
次いで、ステップＳ５２４において、Ｃｕｂｅ１の表示制御部１３８ｄは、サーバ３０から送信された第１のウェブページの表示情報に基づいて、第１のウェブページをＣｕｂｅ１の面に設けられた第１の表示部（例えば図２６に示す表示部２Ａ）に表示する。
【０２３１】
続いて、ステップＳ５２７において、ブックマーク取得部１３８ｃは、第２のブックマーク情報（ＵＲＬ）に基づき、サーバ３０にアクセスし、ＵＲＬで示されるウェブページを要求する。
【０２３２】
次に、ステップＳ５３０において、サーバ３０は、要求された第２のブックマーク情報で示される第２のウェブページの表示情報を送信する。
【０２３３】
次いで、ステップＳ５３３において、Ｃｕｂｅ１の表示制御部１３８ｄは、サーバ３０から送信された第２のウェブページの表示情報に基づいて、第２のウェブページをＣｕｂｅ１の面に設けられた第２の表示部（例えば図２６に示す表示部２Ｂ）に表示する。
【０２３４】
以上、第５の実施形態によるＣｕｂｅ１が、近接するタブレット端末２０と通信を行い連携して動作するシステムについて詳細に説明した。
【０２３５】
＜３−６．第６の実施形態＞
次に、本開示の第６の実施形態について図２９〜図３２を参照して説明する。図２９は、第６の実施形態によるＣｕｂｅ１’の動作概要を説明するための図である。
【０２３６】
図２９に示すように、第６の実施形態によるＣｕｂｅ１’は、Ｃｕｂｅ１’を形成する筐体の大きさが小型（手のひらサイズ）であって、ユーザが手に持って容易に操作することができる。このような小型のＣｕｂｅ１’は、例えばテレビジョン装置４０（家庭用大型表示装置）のリモートコントローラとして用いられる。
【０２３７】
具体的には、図２９に示すように、Ｃｕｂｅ１’の各面に設けられた表示部２’にチャンネル映像を表示させ、ユーザにタップされた面のチャンネルにテレビジョン装置４０のチャンネルを切り替えるよう制御することができる。
【０２３８】
以上、本実施形態の概要について説明した。続いて、本実施形態によるＣｕｂｅ１’が有するＣＰＵ１００−６について図３０を参照して説明する。
【０２３９】
（３−６−１．機能構成）
図３０は、第６の実施形態によるＣｕｂｅ１’のＣＰＵ１００−６の機能構成を示すブロック図である。図３０に示すように、本実施形態によるＣＰＵ１００−６は、チャンネル映像表示制御部１４０ａ、およびチャンネル切替指示部１４０ｂとして機能する。
【０２４０】
チャンネル映像表示制御部１４０ａは、チャンネル切り替えモードに設定された際に、テレビジョン装置４０からチャンネル映像を取得し、取得したチャンネル映像を、チャンネル毎に各面の表示部２’に表示するよう制御する。なおチャンネル映像表示制御部１４０ａは、１面を分割して複数のチャンネル映像を表示するよう制御してもよい。また、チャンネル映像表示制御部１４０ａは、チャンネル映像をグループ分けし（例えば６チャンネル毎にグループ分け）、ユーザ操作に応じて各面の表示部２’に表示する各チャンネル映像のグループを切り替えて表示してもよい。
【０２４１】
チャンネル切替指示部１４０ｂは、チャンネル映像を表示している面に対するユーザ操作（タップ、タッチ操作等）が検知されると、操作された面に対応するチャンネルに切り替えるよう、テレビジョン装置４０に対して指示する。
【０２４２】
以上、本実施形態によるＣＰＵ１００−６の機能構成について説明した。次に、本実施形態による動作処理について図３１を参照して説明する。
【０２４３】
（３−６−２．動作処理）
図３１は、第６の実施形態によるＣｕｂｅ１’によるチャンネル切替処理を示すフローチャートである。図３１に示すように、まず、ステップＳ６０３において、Ｃｕｂｅ１’は、ユーザ操作に応じてチャンネル切り替えモードに設定される。
【０２４４】
次いで、ステップＳ６０６において、チャンネル切り替えモードに設定されたＣｕｂｅ１は、周囲に存在するテレビジョン装置４０に対して、各チャンネルの映像情報（動画像または静止画像）の送信を要求する。Ｃｕｂｅ１’とテレビジョン装置４０との無線通信は、近接通信・充電アンテナ１１７を介して行われてもよいし、Ｗｉｆｉ１２２を介して家庭内無線ＬＡＮにより行われてもよい。
【０２４５】
次に、ステップＳ６０９において、テレビジョン装置４０は、各チャンネルの映像情報をＣｕｂｅ１’に送信する。
【０２４６】
次いで、ステップＳ６１２において、Ｃｕｂｅ１’のチャンネル映像表示制御部１４０ａは、テレビジョン装置４０から送信された各チャンネルの映像情報に基づいて、Ｃｕｂｅ１’の各面の表示部２’に、各チャンネルの映像を表示する。これにより、ユーザは、Ｃｕｂｅ１’の各面にそれぞれ表示されたチャンネル映像を視認してテレビジョン装置４０で見たいチャンネルを選ぶことができる。
【０２４７】
続いて、ステップＳ６１５において、チャンネル切替指示部１４０ｂは、Ｃｕｂｅ１’の面へのユーザ操作（チャンネル選択操作）を操作部１０４により検知したか否かを判断する。チャンネル選択操作は、例えば各面の表示部２’に設けられたタッチセンサ（操作部１０４の一例）により検知されたタッチ操作、タップ操作等である。
【０２４８】
チャンネル選択操作が検知されると（Ｓ６１５／Ｙｅｓ）、ステップＳ６１８において、チャンネル切替指示部１４０ｂは、操作された面に対応するチャンネルを識別する。
【０２４９】
次いで、ステップＳ６２１において、チャンネル切替指示部１４０ｂは、識別したチャンネルを示す情報（チャンネルＩＤ）をテレビジョン装置４０に送信する。
【０２５０】
そして、ステップＳ６２４において、テレビジョン装置４０は、Ｃｕｂｅ１’から受信したチャンネルＩＤが示すチャンネルに切り替えるよう制御する。
【０２５１】
以上、本実施形態による小型のＣｕｂｅ１’によるチャンネル切替処理について詳細に説明した。なお本実施形態による小型のＣｕｂｅ１’の利用は、チャンネル切替に限定されない。そこで、本実施形態による小型のＣｕｂｅ１’の他の利用方法について、以下変形例として図３２Ａ、図３２Ｂを用いて説明する。
【０２５２】
（３−６−３．変形例）
図３２Ａは、第６の実施形態の変形例１によるＣｕｂｅ１’が音楽コンテンツの選択に利用される場合について説明するための図である。図３２Ａに示すように、Ｃｕｂｅ１’は、各面の表示部２’に各音楽コンテンツに対応する画像（タイトル、ジャケット画像、ミュージックビデオ等）を表示し、ユーザに選択操作された面に対応する音楽コンテンツを外部装置である音楽再生装置５０から再生するよう制御する。具体的には、Ｃｕｂｅ１’は、音楽再生装置５０と無線接続し、音楽コンテンツを送信して再生指示を行うことができる。
【０２５３】
なお、Ｃｕｂｅ１’は、Ｃｕｂｅ１’の複数の面にそれぞれ異なる音楽コンテンツに対応する画像を同時に表示してもよいし、１の面に対するフリップ操作に応じて、１の面に順次音楽コンテンツに対応する画像を表示してもよい。
【０２５４】
図３２Ｂは、第６の実施形態の変形例２によるＣｕｂｅ１’が映像コンテンツ（映画、ドラマ、ミュージックビデオ等）の選択に利用される場合について説明するための図である。図３２Ｂに示すように、Ｃｕｂｅ１’は、各面の表示部２’に各映像コンテンツに対応する画像（タイトル画像等）を表示し、ユーザに選択操作された面に対応する映像コンテンツを外部装置であるテレビジョン装置４０から再生するよう制御する。具体的には、Ｃｕｂｅ１’は、テレビジョン装置４０と無線接続し、映像コンテンツを送信して再生指示を行うことができる。また、Ｃｕｂｅ１’は、図３２Ｂに示すように、テレビジョン装置４０にも各映像コンテンツに対応する画像（タイトル画像等）を表示させて、Ｃｕｂｅ１’で選択された映像コンテンツにカーソルを合わせて表示してもよい。
【０２５５】
また、近年、ネットワークを介して映像コンテンツを購入またはレンタルできるシステムが提供され、Ｃｕｂｅ１’は、ネットワーク上の所定のコンテンツサーバに接続し、購入またはレンタル可能な映像コンテンツをＣｕｂｅ１’の各面に表示することも可能である。
【０２５６】
なお、Ｃｕｂｅ１’は、Ｃｕｂｅ１’の複数の面にそれぞれ異なる映像コンテンツを同時に表示してもよいし、１の面に対するフリップ操作に応じて、１の面に順次映像コンテンツを表示してもよい。
【０２５７】
＜３−７．第７の実施形態＞
次に、本開示の第７の実施形態について図３３〜図３６を参照して説明する。図３３は、第７の実施形態によるＣｕｂｅ１の概要を説明するための図である。第７の実施形態によるＣｕｂｅ１は、メール作成画面など文字入力モードが設定されている際に、図３３左に示すように着脱可能に取り付けられていたタブレット端末２０が取り外されると、図３３右に示すようにタブレット端末２０の表示部２２に文字入力画面を表示させる。ここで、タブレット端末２０の表示部２２は、タッチセンサが積層されたタッチパネルディスプレイにより実現され、文字入力画面に対するユーザのタッチ操作によりデータ入力が行われる。
【０２５８】
一方、タブレット端末２０が取り外されたＣｕｂｅ１の面の表示部２には、文字出力画面（例えばメール作成画面）が表示される。そして、Ｃｕｂｅ１に表示された文字出力画面には、タブレット端末２０の文字入力画面（ソフトウェアキーボード等）から入力された情報が反映される。
【０２５９】
このように、本実施形態によるＣｕｂｅ１は、タブレット端末２０が取り外された場合に、連携して入出力画面の表示制御を行うことができる。上述したように、取り外されたタブレット端末２０には文字入力画面が表示され、Ｃｕｂｅ１への入力装置として用いられるので、ユーザは、例えばＣｕｂｅ１をテーブルに置き、タブレット端末２０は手元において文字入力を行うことができる。
【０２６０】
以上、本実施形態の概要について図３３を参照して説明した。続いて、本実施形態によるＣｕｂｅ１が有するＣＰＵ１００−７の機能について、図３４を参照して説明する。
【０２６１】
（３−７−１．機能構成）
図３４は、第７の実施形態によるＣＰＵ１００−７の機能構成を示すブロック図である。図３４に示すように、ＣＰＵ１００−７は、入力画面表示制御部１４２ａ、および出力画面表示制御部１４２ｂとして機能する。
【０２６２】
入力画面表示制御部１４２ａは、文字や図形等の情報を入力するための所定の画面（入力画面）を表示部に表示させるよう制御する。具体的には、入力画面表示制御部１４２ａは、近接通信・充電処理部１１６および近接通信・充電アンテナ１１７を介して、Ｃｕｂｅ１から取り外されたタブレット端末２０の表示部２２に入力画面を表示させるよう制御する。
【０２６３】
出力画面表示制御部１４２ｂは、文字や図形等の情報を出力（表示）するための所定の画面（出力画面）を表示部に表示させるよう制御する。具体的には、出力画面表示制御部１４２ｂは、タブレット端末２０が取り外された面に固定された表示部２に、出力画面を表示させるよう制御する。また、出力画面表示制御部１４２ｂは、近接通信・充電処理部１１６および近接通信・充電アンテナ１１７を介して、タブレット端末２０から入力された情報を、出力画面に反映させる制御を行う。
【０２６４】
また、出力画面表示制御部１４２ｂは、拡大表示を指示するユーザ操作に応じて、Ｗｉｆｉ処理部１２１およびＷｉｆｉアンテナ１２２を介して、テレビジョン装置４０（家庭用大型表示装置の一例）に出力画面を表示させるよう制御することもできる。
【０２６５】
また、出力画面表示制御部１４２ｂは、さらに拡大表示を指示するユーザ操作に応じて、Ｃｕｂｅ１が内蔵するプロジェクター部１２４（またはＣｕｂｅ１に外付けされた小型プロジェクター）から出力画面を投影させるよう制御することも可能である。
【０２６６】
（３−７−２．動作処理）
次に、本実施形態の動作処理について図３５を参照して説明する。図３５は、第７の実施形態による入出力画面表示制御処理を示すフローチャートである。図３５に示すように、まず、ステップＳ７０２において、Ｃｕｂｅ１は、文字入力モードに設定される。文字入力モードとは、メール作成画面や、文書作成画面、ウェブサイトのコメント入力フォーム等、文字入力が可能な画面が表示部（Ｃｕｂｅ１に着脱可能に取り付けられたタブレット端末２０Ａの表示部２２）に表示された際に自動的に設定される。
【０２６７】
次いで、ステップＳ７０３において、Ｃｕｂｅ１の近接通信・充電処理部１１６は、Ｃｕｂｅ１の面に取り付けられたタブレット端末２０が取り外されたか否かを判断する。
【０２６８】
次に、タブレット端末２０が取り外されたことが検知されると（Ｓ７０３／Ｙｅｓ）、ステップＳ７０６において、Ｃｕｂｅ１の入力画面表示制御部１４２ａは、取り外されたタブレット端末２０に対して、文字入力画面の表示制御を行う。
【０２６９】
次いで、ステップＳ７０９において、タブレット端末２０は、Ｃｕｂｅ１からの制御に従って、表示部２２（タッチパネルディスプレイ）に文字入力画面を表示する。文字入力画面とは、例えばソフトウェアキーボードや、マウス操作領域（タッチパッド機能を実行）が表示された画面である。これによりユーザは、Ｃｕｂｅ１から取り外して手元に置いたタブレット端末２０から文字入力を行うことができる。
【０２７０】
続いて、ステップＳ７１２において、タブレット端末２０は、文字入力画面から入力された入力情報を、Ｃｕｂｅ１に送信する。
【０２７１】
次に、ステップＳ７１５において、Ｃｕｂｅ１の出力画面表示部１４２ｂは、上記Ｓ７０３でタブレット端末２０が取り外されたことが検知されると（Ｓ７０３／Ｙｅｓ）、タブレット端末２０が取り外された面に固定された表示部２に、文字出力画面を表示する。文字出力画面とは、上記メール作成画面や、文書作成画面、ウェブサイトのコメント入力フォーム等である。そして、出力画面表示部１４２ｂは、上記Ｓ７１２でタブレット端末２０から入力情報が送信されると、当該入力情報を文字出力画面に反映させる。このようにして、ユーザがタブレット端末２０から入力した文字情報がＣｕｂｅ１の表示部２に表示された文字出力画面に反映されるので、Ｃｕｂｅ１およびタブレット端末２０の利便性がさらに向上する。
【０２７２】
次いで、ステップＳ７１８において、Ｃｕｂｅ１の出力画面表示制御部１４２ｂは、ユーザによる拡大要求を受け付けたか否かを判断する。拡大要求の受け付けは、Ｃｕｂｅ１に設けられたボタンやスイッチ、タッチセンサ（操作部１０４の一例）への操作や、Ｃｕｂｅ１を振る（加速度センサ１１３やジャイロセンサ１１４により検知）等のワンアクションで受け付けられる。また、拡大要求とは、文字出力画面を、Ｃｕｂｅ１の表示部２の画面より大きい画面で大きく表示することを指示するものである。文字出力画面を大きく表示する方法としては、例えばＣｕｂｅ１の表示部２より大きい表示部を有する大型表示装置に文字出力画面を出力することが挙げられる。
【０２７３】
そこで、拡大要求を受け付けた場合（Ｓ７１８／Ｙｅｓ）、次のステップＳ７２１において、Ｃｕｂｅ１の出力画面表示制御部１４２ｂは、周辺に存在するテレビジョン装置４０に文字出力画面を送信し、テレビジョン装置４０の表示部で表示するよう制御する。テレビジョン装置４０との通信は、例えばＷｉｆｉ処理部１２１およびＷｉｆｉアンテナ１２２を介して、家庭内無線ＬＡＮを介して行われる。
【０２７４】
次に、ステップＳ７２４において、テレビジョン装置４０は、Ｃｕｂｅ１から送信された文字出力画面を、テレビジョン装置４０の表示部に表示する。テレビジョン装置４０の表示部はＣｕｂｅ１の表示部２より大きいと想定されるので、テレビジョン装置４０の表示部に文字出力画面を表示することで、文字出力画面の拡大表示が実現される。
【０２７５】
ここで、このようにテレビジョン装置４０に拡大表示する場合の説明図を図３６Ａに図示する。図３６Ａは、第７の実施形態によるＣｕｂｅ１において、文字出力画面を拡大表示する場合の一例を説明するための図である。図３６Ａに示すように、Ｃｕｂｅ１は、テレビジョン装置４０と無線通信し、文字出力画面を表示させる。この際、Ｃｕｂｅ１は、Ｃｕｂｅ１の表示部２に「拡大表示中」と表示し、拡大表示処理を実行していること明示する。また、Ｃｕｂｅ１は、タブレット端末２０の表示部２２に表示された文字入力画面から入力された情報を受信し、これをテレビジョン装置４０に表示させた文字出力画面に反映させる。
【０２７６】
続いて、ステップＳ７２７において、Ｃｕｂｅ１の出力画面表示制御部１４２ｂは、さらにユーザによる拡大要求を受け付けたか否かを判断する。
【０２７７】
拡大要求を受け付けた場合（Ｓ７２７／Ｙｅｓ）、ステップＳ７３０において、Ｃｕｂｅ１の出力画面表示制御部１４２ｂは、Ｃｕｂｅ１に内蔵されたプロジェクター部１２４で文字出力画面を投影し、拡大表示するよう制御する。プロジェクター部１２４は、Ｃｕｂｅ１内蔵に限定されず、外付けの小型プロジェクター（ピコプロジェクター）であってもよい。
【０２７８】
ここで、このようにプロジェクター部１２４で拡大表示する場合の説明図を図３６Ｂに図示する。図３６Ｂは、第７の実施形態によるＣｕｂｅ１において、文字出力画面を拡大表示する場合の一例を説明するための図である。図３６Ｂに示すように、Ｃｕｂｅ１は、プロジェクター部１２４を有し、文字出力画面を部屋の壁等に投影する。この際、Ｃｕｂｅ１は、Ｃｕｂｅ１の表示部２に「拡大表示中」と表示し、拡大表示処理を実行していること明示する。また、Ｃｕｂｅ１は、タブレット端末２０の表示部２２に表示された文字入力画面から入力された情報を受信し、これを投影画面（投影した文字出力画面）に反映させる。
【０２７９】
以上、本実施形態による入出力画面の表示制御について説明した。なお図３５のＳ７２７〜Ｓ７３０に示す処理は、必ずしもＳ７１８〜Ｓ７２４に示す処理の後でなくともよく、例えばユーザ操作により投影指示があった時点で実行されてもよい。
【０２８０】
＜＜４．補足＞＞
＜４−１．二重ディスプレイの活用＞
本開示の一実施形態によるＣｕｂｅ１は、図１に示すように、Ｃｕｂｅ１を形成する立体形状の筐体の各面に表示部２が固定され、当該面上に表示部２２を有するタブレット端末２０が着脱可能に取り付けられると、二重ディスプレイ構造となる。
【０２８１】
この場合、Ｃｕｂｅ１は、タブレット端末２０が取り付けられた際に、Ｃｕｂｅ１の表示部２に表示されていた表示内容を、自動的にタブレット端末２０の表示部２２に表示するといった連携動作を行うことができる。これにより、Ｃｕｂｅ１の表示部２にタブレット端末２０を重ねても、表示部２に表示していた内容を引き続きタブレット端末２０の表示部２２で見ることができるので、利便性が向上する。
【０２８２】
また、Ｃｕｂｅ１は、タブレット端末２０が取り外された際に、タブレット端末２０の表示部２２に表示されていた表示内容を、自動的にＣｕｂｅ１の表示部２に表示するといった連携動作を行うことができる。これにより、Ｃｕｂｅ１からタブレット端末２０が取り外されても、タブレット端末２０の表示部２２に表示していた内容を引き続き取り外された面の表示部２で見ることができるので、利便性が向上する。
【０２８３】
以上、二重ディスプレイ構造となる場合におけるＣｕｂｅ１の表示制御について補足した。なお、本開示によるＣｕｂｅ１は、必ずしも二重ディスプレイ構造でなくてもよく、例えばタブレット端末２０が着脱可能に取り付けられる面に表示部２を有しない構造や、表示部２が固定された面にはタブレット端末２０が着脱できない構造であってもよい。
【０２８４】
＜４−２．多面ディスプレイの活用＞
上記第６の実施形態で説明したように、本開示の一例による小型（手のひらサイズ）のＣｕｂｅ１’は、ユーザが手に持って容易に操作することができる。このような小型のＣｕｂｅ１’は、第６の実施形態で説明した利用方法の他、携帯型のスマートデバイスとして利用することも想定される。例えば、Ｃｕｂｅ１’は、各面に異なるアプリケーションを同時に表示させることができる。以下、図３７を参照して具体的に説明する。
【０２８５】
図３７は、本開示の一実施形態による小型のＣｕｂｅ１’が各面に異なるアプリケーションを同時に表示する場合について説明するための図である。図３７左に示すように、Ｃｕｂｅ１’は、各面に設けられた複数の表示部２Ａ、２Ｂ、２Ｃに、それぞれ異なるアプリケーションを同時に表示させることができる。また、図３７中央に示すように、ユーザはＣｕｂｅ１’を手に持って動かし、底面の表示部２Ｆや対向面側の表示部２Ｄ、２Ｅも容易に視認することができ、表示部２Ｆ、２Ｄ、２Ｅにも、それぞれ異なるアプリケーションを同時に表示される。
【０２８６】
さらに、Ｃｕｂｅ１’の表示部２Ａ〜２Ｅは、タッチセンサ（操作部１０４の一例）が積層されたタッチパネルディスプレイであってもよく、この場合、図３７右に示すように、各面に対するユーザによるタッチ操作を受け付けることができる。また、Ｃｕｂｅ１’は、１の面に対するユーザによるタッチ操作を、当該面で展開されているアプリケーションに対する個別の操作として検出してもよいし、全面で展開されているアプリケーションに対する共通の操作として検出してもよい。例えばＣｕｂｅ１の表示部２Ａ〜２Ｅにそれぞれ異なるウェブページが表示されている場合に、１の面に対して共通の操作として更新操作を行うと、自動的に全面で更新処理が行われる。
【０２８７】
このように、本開示の一実施形態による小型のＣｕｂｅ１’は、各面に異なるアプリケーションを同時に表示させることで、各面にそれぞれ設けられた複数の表示部（多面ディスプレイ）を活用することができ、利便性が向上する。
【０２８８】
以上、本開示の一実施形態による小型のＣｕｂｅ１’の利用方法について補足した。なお、本開示によるＣｕｂｅ１’は、必ずしも全面に表示部２が設けられていなくてもよく、例えば少なくとも１面以上に表示部２が設けられていてもよい。
【０２８９】
＜４−３．撮像装置との組み合わせ＞
また、本開示によるＣｕｂｅ１は、撮像装置と連携した動作を行うことも可能である。以下、図３８を参照して具体的に説明する。
【０２９０】
図３８は、本開示の一実施形態によるＣｕｂｅ１と撮像装置の連携動作について説明するための図である。図３８左に示すように、小型の撮像装置６は、全方位を撮像可能な３６０度カメラであって、ユーザは、カメラの方向を気にすることなく、撮影することができる。
【０２９１】
次いで、図３８中央に示すように、小型の撮像装置６をＣｕｂｅ１に乗せると、近接通信により自動的に撮像装置６の撮像データがＣｕｂｅ１に送信され、Ｃｕｂｅ１は、取得した撮像データを表示部２に表示することができる。このように、ユーザは、撮像装置６をＣｕｂｅ１に乗せるだけで、撮像装置６で撮像した撮像データを見て楽しむことができる。
【０２９２】
また、図３８右に示すように、Ｃｕｂｅ１は、周辺に存在するテレビジョン装置４０と無線接続し、撮像装置６から取得した撮像データを、テレビジョン装置４０に送信して表示させることができる。これにより、ユーザは、撮像データを他ユーザとシェアして楽しむことができる。
【０２９３】
＜４−４．その他＞
また、本開示の一実施形態によるＣｕｂｅ１は、各角に、歪ゲージが内包された弾性体が取り付けられていてもよい。この場合、Ｃｕｂｅ１は、歪ゲージにより机面との接触を検知し、現在のＣｕｂｅ１の姿勢を検出することができる。これにより、Ｃｕｂｅ１は、Ｃｕｂｅ１の各面に設けられる各表示部２のうち、検出されたＣｕｂｅ１の姿勢に基づいて、底面となる表示部２をＯＦＦすることで、省エネルギーを実現することができる。なおＣｕｂｅ１の姿勢は、歪ゲージの他、上述したジャイロセンサ１１４により検出することも可能である。
【０２９４】
また、Ｃｕｂｅ１の各角に、上記歪ゲージが内包された弾性体が取り付けられることにより、Ｃｕｂｅ１が机面等に置かれても、Ｃｕｂｅ１の各面に設けられた表示部２に傷や汚れが付くことを防止することができる。
【０２９５】
表示部２の傷や汚れを防止する方法は、上記歪ゲージが内包された弾性体を各角に取り付ける方法の他、表示部２に設けられる保護面を凹面に成形する方法であってもよい。
【０２９６】
また、本開示の一実施形態によるＣｕｂｅ１は、本体の熱を排除する排熱機能を有する。具体的には、例えばＣｕｂｅ１に、各面から本体の熱を排熱するための流路が設けられている際、Ｃｕｂｅ１は、ユーザにより操作されている面の対向面側から排熱するよう流路切り替えを行う。
【０２９７】
＜＜５．まとめ＞＞
以上説明したように、本開示の実施形態によるＣｕｂｅ１は、近接（接触および非接触を含む）するタブレット端末と通信して連携動作することにより、従来の立方体表示装置では想定し得なかった動作制御を実現することができ、より利便性を向上させることができる。
【０２９８】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２９９】
例えば、本明細書のＣｕｂｅ１、タブレット端末２０の処理における各ステップは、必ずしもフローチャートとして記載された順序に沿って時系列に処理する必要はない。例えば、Ｃｕｂｅ１の処理における各ステップは、フローチャートとして記載した順序と異なる順序で処理されても、並列的に処理されてもよい。
【０３００】
また、Ｃｕｂｅ１、タブレット端末２０、またはサーバ３０に内蔵されるＣＰＵ、ＲＯＭおよびＲＡＭなどのハードウェアを、上述したＣｕｂｅ１、タブレット端末２０、またはサーバ３０の各構成と同等の機能を発揮させるためのコンピュータプログラムも作成可能である。また、該コンピュータプログラムを記憶させた記憶媒体も提供される。
【０３０１】
また、以下のような構成も本開示の技術的範囲に属する。
（１）
出力部が設けられた１以上の面を含む多面体形状の筐体と、
移動体端末と通信を行う通信部と、
前記移動体端末と通信することにより前記移動体端末と連携して前記出力部からの出力制御を行う制御部と、
を備える、情報処理装置。
（２）
前記多面体形状は、立方体形状である、前記（１）に記載の情報処理装置。
（３）
前記出力部は、前記多面体形状の筐体の各面に固定された表示部若しくは音声出力部、または、各面に着脱可能に設けられた前記移動体端末の表示部若しくは音声出力部である、前記（１）または（２）に記載の情報処理装置。
（４）
前記通信部は、前記移動体端末から送信される情報を受信することにより、前記移動体端末が近接していることを検知し、
前記制御部は、前記移動体端末が近接した場合、前記移動体端末から送信される情報に応じたコンテンツを前記出力部から出力するよう制御する、前記（１）〜（３）のいずれか１項に記載の情報処理装置。
（５）
前記移動体端末から送信される情報に応じたコンテンツは、前記移動体端末の所有者に対するメッセージ、または前記移動体端末において予めブックマークされたウェブページである、前記（４）に記載の情報処理装置。
（６）
前記制御部は、前記情報処理装置に近接する前記移動体端末に対して無線給電を行うよう制御する、前記（１）〜（５）のいずれか１項に記載の情報処理装置。
（７）
前記制御部は、前記面に取り付けられた前記移動体端末が取り外された場合、前記移動体端末の表示部に入力画面を表示するよう制御し、前記入力画面から入力された情報を出力する出力画面を、前記多面体形状の筐体の各面に設けられた表示部に表示するよう制御する、前記（１）〜（６）のいずれか１項に記載の情報処理装置。
（８）
前記制御部は、ユーザによる拡大表示指示に応じて、前記出力画面を、外部の表示装置から表示または前記情報処理装置に設けられた投影部から投影するよう制御する、前記（７）に記載の情報処理装置。
（９）
前記通信部は、前記面に取り付けられた１以上の前記移動体端末に対応する識別情報を受信し、
前記制御部は、受信した１以上の前記識別情報に基づくコンテンツを、前記面に取り付けられた１以上の前記移動体端末の表示部に表示するよう制御する、前記（１）〜（８）のいずれか１項に記載の情報処理装置。
（１０）
前記制御部は、複数の前記移動体端末が取り付けられている各面の位置関係および前記移動体端末の識別情報に基づくコンテンツを、複数の前記移動体端末の表示部に表示するよう制御する、前記（９）に記載の情報処理装置。
（１１）
前記情報処理装置は、前記多面体形状の筐体の各面に、ユーザ操作を検出する操作部をさらに備え、
前記制御部は、前記多面体形状の筐体の各面と、前記移動体端末に対応する識別情報とを対応付けて記憶し、前記操作部により呼び出し操作が検出された面に対応付けられた前記識別情報で示される前記移動体端末との通信を制御する、前記（１）〜（１０）のいずれか１項に記載の情報処理装置。
（１２）
前記情報処理装置は、前記情報処理装置の周囲を撮像する撮像部をさらに備え、
前記制御部は、前記移動体端末との通信結果に応じて、前記撮像部により撮像された撮像画像を用いたセキュリティモードを実行するよう制御する、前記（１）〜（１１）のいずれか１項に記載の情報処理装置。
（１３）
前記撮像部は、前記多面体形状の筐体の各面に設けられた複数の撮像部、または前記多面体形状の筐体の内部に設けられ、各面の外方向を撮像する１の撮像部である、前記（１２）に記載の情報処理装置。
（１４）
前記制御部は、前記移動体端末が前記情報処理装置の周辺に存在しない場合、前記セキュリティモードの実行を開始するよう制御する、前記（１２）または（１３）に記載の情報処理装置。
（１５）
前記セキュリティモードは、前記撮像部により撮像された撮像画像を記憶部に記憶する記憶モードである、前記（１２）〜（１４）のいずれか１項に記載の情報処理装置。
（１６）
前記セキュリティモードは、前記撮像部により撮像された撮像画像を前記移動体端末に送信する送信モードである、前記（１２）〜（１５）のいずれか１項に記載の情報処理装置。
（１７）
前記移動体端末に送信する撮像画像の範囲は、前記移動体端末からの指示に応じて変更される、前記（１６）に記載の情報処理装置。
（１８）
前記セキュリティモードは、外部状況の検出結果に応じて、所定の報知を行う報知モードである、前記（１２）〜（１７）のいずれか１項に記載の情報処理装置。
（１９）
前記セキュリティモードは、前記多面体形状の筐体の各面に設けられた表示部に、対向面側方向の撮像画像を表示する光学迷彩モードである、前記（１２）〜（１８）のいずれか１項に記載の情報処理装置。
（２０）
コンピュータに、
移動体端末と通信を行う通信部と、
前記移動体端末と通信することにより前記移動体端末と連携して、１以上の面を含む多面体形状の筐体に設けられた出力部からの出力制御を行う制御部と、
として機能させるためのプログラムが記憶された、記憶媒体。
（２１）
移動体端末と通信を行うステップと、
前記移動体端末と通信することにより前記移動体端末と連携して、１以上の面を含む多面体形状の筐体に設けられた出力部からの出力制御を行うステップと、
を含む、制御方法。
【符号の説明】
【０３０２】
１、１ａ、１ｂ、１’    Ｃｕｂｅ
２、２Ａ〜２Ｆ、２’、２２、２２Ａ〜２２Ｃ    表示部
３、３Ａ〜３Ｃ、２３、２３Ａ〜２３Ｃ    撮像部
４、４Ａ〜４Ｃ、２４、２４Ａ〜２４Ｃ    スピーカ
５、２５    マイク
６    撮像装置
２０、２０Ａ〜２０Ｃ    タブレット端末
３０    サーバ
３１    通信部
３２    登録管理部
３３    ＩＤデータベース
３４    コンテンツ情報生成部
３５    コンテンツデータベース
４０    テレビジョン装置
５０    音楽再生装置
１００、１００−１〜１００−７、２００    ＣＰＵ
１０２、２０２    ＲＯＭ
１０３、２０３    ＲＡＭ
１０４、２０４    操作部
１０６、２０６    デコーダ
１０８、２０８    エンコーダ
１１０、２１０    記憶部
１１０ａ    ＩＤデータベース
１１０ｂ    コンテンツデータベース
１１０ｃ    対応面データベース
１１２、２１２    地磁気センサ
１１３、２１３    加速度センサ
１１４、２１４    ジャイロセンサ
１１６、２１６    近接通信・充電処理部
１１７、２１７    近接通信・充電アンテナ
１１９、２１９    ＧＰＳ処理部
１２０、２２０    ＧＰＳアンテナ
１２１、２２１    Ｗｉｆｉ処理部
１２２、２２２    Ｗｉｆｉアンテナ
１２４    プロジェクター部
１３０ａ    モード設定部
１３０ｂ    撮像制御部
１３０ｃ    記憶制御部
１３０ｄ    転送制御部
１３０ｅ    報知制御部
１３０ｆ    表示制御部
１３２ａ    ＩＤ要求部
１３２ｂ    登録管理部
１３２ｃ    コンテンツ情報生成部
１３２ｄ    コンテンツ出力制御部
１３４ａ    ＩＤ要求部
１３４ｂ    登録管理部
１３４ｃ    表示制御部
１３４ｄ    通信制御部
１３６ａ    ＩＤ取得部
１３６ｂ    コンテンツ取得部
１３６ｃ    出力制御部
１３８ａ    ＩＤ取得部
１３８ｂ    給電制御部
１３８ｃ    ブックマーク取得部
１３８ｄ    表示制御部
１４０ａ    チャンネル映像表示制御部
１４０ｂ    チャンネル切替指示部
１４２ａ    入力画面表示制御部
１４２ｂ    出力画面表示制御部
２３０    ＩＤ要求部
２３１    コンテンツ要求部
２３２    コンテンツ出力制御部
２３３    取り外し通知部
Ｓ１〜Ｓ３    面
Ｐ１、Ｐ２    撮像画像
Ｖ１、Ｖ２    視点
【図１】
2014186610.tif 000003
【図２】
2014186610.tif 000004
【図３】
2014186610.tif 000005
【図４】
2014186610.tif 000006
【図５】
2014186610.tif 000007
【図６】
2014186610.tif 000008
【図７】
2014186610.tif 000009
【図８】
2014186610.tif 000010
【図９】
2014186610.tif 000011
【図１０】
2014186610.tif 000012
【図１１】
2014186610.tif 000013
【図１２】
2014186610.tif 000014
【図１３】
2014186610.tif 000015
【図１４】
2014186610.tif 000016
【図１５】
2014186610.tif 000017
【図１６】
2014186610.tif 000018
【図１７】
2014186610.tif 000019
【図１８】
2014186610.tif 000020
【図１９】
2014186610.tif 000021
【図２０】
2014186610.tif 000022
【図２１】
2014186610.tif 000023
【図２２】
2014186610.tif 000024
【図２３】
2014186610.tif 000025
【図２４】
2014186610.tif 000026
【図２５】
2014186610.tif 000027
【図２６】
2014186610.tif 000028
【図２７】
2014186610.tif 000029
【図２８】
2014186610.tif 000030
【図２９】
2014186610.tif 000031
【図３０】
2014186610.tif 000032
【図３１】
2014186610.tif 000033
【図３２Ａ】
2014186610.tif 000034
【図３２Ｂ】
2014186610.tif 000035
【図３３】
2014186610.tif 000036
【図３４】
2014186610.tif 000037
【図３５】
2014186610.tif 000038
【図３６Ａ】
2014186610.tif 000039
【図３６Ｂ】
2014186610.tif 000040
【図３７】
2014186610.tif 000041
【図３８】
2014186610.tif 000042